(57)【特許請求の範囲】
【請求項１】
複数の画像を取得する画像取得部と、
前記複数の画像の各々の内容を解析する画像解析部と、
前記各々の画像の解析結果に基づいて、前記複数の画像に写っている人物同士の親密度を算出し、前記複数の画像に写っている人物のうち、第１の人物と前記第１の人物以外の全ての人物との前記親密度の和または平均値を前記第１の人物の総合親密度として算出し、かつ、前記第１の人物以外の全ての人物の各々の前記総合親密度を算出する親密度算出部と、
前記複数の画像のうちの２以上の画像を配置領域に配置して合成画像を作成する画像配置部と、
前記各々の画像の解析結果に基づいて、前記複数の画像の中から、前記総合親密度が最も高い人物が写っている第１の画像を特定する画像特定部とを備え、
前記画像配置部は、前記総合親密度が最も高い人物が写っている第１の画像を、前記配置領域の中心の位置に配置する、画像処理装置。
【請求項２】
前記画像特定部は、前記総合親密度が最も高い人物を１番目に前記総合親密度が高い人物として、前記複数の画像の中から、２番目以降に前記総合親密度が高い人物が写っている画像を特定し、
前記画像配置部は、前記２番目以降に総合親密度が高い人物が写っている画像を、前記総合親密度がより高い人物が写っている画像であるほど、前記配置領域の中心の位置により近い位置に配置する、請求項１に記載の画像処理装置。
【請求項３】
前記画像特定部は、前記総合親密度が最も高い人物を１番目に前記総合親密度が高い人物として、前記複数の画像の中から、２番目以降に前記総合親密度が高い人物が写っている画像を特定し、
前記画像配置部は、２番目に前記総合親密度が高い人物が写っている画像を、前記配置領域の中心と端辺との中間の領域に配置し、かつ、iを１以上の整数として、１＋２i番目から２i人の前記総合親密度が高い人物が写っている画像を、それぞれ、前記配置領域の中心および端辺と２番目から２i番目に前記総合親密度が高い人物が写っている画像の配置領域との中間のいずれかの領域に配置する、請求項１に記載の画像処理装置。
【請求項４】
前記画像配置部は、前記２番目に前記総合親密度が高い人物が写っている画像を、前記配置領域の中心と端辺との中間の領域の１箇所の位置にまとめて配置し、かつ、１＋２i番目から２i人の前記総合親密度が高い人物が写っている画像を、それぞれ、前記配置領域の中心および端辺と２番目から２i番目に前記総合親密度が高い人物が写っている画像の配置領域との中間のいずれかの領域の１箇所の位置にまとめて配置する、請求項３に記載の画像処理装置。
【請求項５】
前記画像特定部は、前記総合親密度が最も高い人物を１番目に前記総合親密度が高い人物として、前記複数の画像の中から、２番目以降に前記総合親密度が高い人物が写っている画像を特定し、
前記画像配置部は、前記２番目および３番目に前記総合親密度が高い人物が写っている画像を、前記配置領域の中心の位置を中心として、前記配置領域の中心と端辺との中間の領域において互いに対向する配列方向の位置にまとめて配置し、かつ、kを２以上の整数として、２k番目から２k人の前記総合親密度が高い人物が写っている画像を、前記２k人のうちの２人の前記総合親密度が高い人物毎に、前記配置領域の中心の位置を中心として、前記配置領域の中心および端辺と２番目から２k−１番目に前記総合親密度が高い人物が写っている画像の配置領域との中間のいずれかの領域において、前記２番目から前記２番目から２k−１番目までの前記総合親密度が高い人物が写っている画像の配列方向とは異なり、互いに対向する配列方向の位置にまとめて配置し、かつ、前記２k番目から２k人の前記総合親密度が高い人物が写っている画像を一方向に配置する、請求項１に記載の画像処理装置。
【請求項６】
さらに、前記複数の画像のうち、第２の人物が写っている第２の画像が前記配置領域の第１の位置に配置された場合に、前記各々の画像の解析結果、および、前記人物同士の親密度に基づいて、前記複数の画像に写っている人物の中から、前記第２の人物との親密度が閾値を超える第３の人物を特定する人物特定部を備え、
前記画像特定部は、前記各々の画像の解析結果に基づいて、前記複数の画像の中から、前記第３の人物が写っている第３の画像を特定し、
前記画像配置部は、前記第３の画像を、前記配置領域の前記第１の位置に隣接する第２の位置に配置する、請求項１ないし５のいずれか一項に記載の画像処理装置。
【請求項７】
さらに、前記各々の画像の解析結果に基づいて、前記第２の人物と前記第３の人物とが共に写っている画像の数を算出する画像数算出部を備え、
前記親密度算出部は、前記第２の人物と前記第３の人物とが共に写っている画像の数が多いほど、前記第２の人物と前記第３の人物との親密度を高くする、請求項６に記載の画像処理装置。
【請求項８】
さらに、前記各々の画像の解析結果に基づいて、前記第２の人物と前記第３の人物が共に写っている画像から、前記第２の人物と前記第３の人物との間の距離を算出する距離算出部を備え、
前記親密度算出部は、前記第２の人物と前記第３の人物との間の距離が近いほど、前記第２の人物と前記第３の人物との親密度を高くする、請求項６または７に記載の画像処理装置。
【請求項９】
前記距離算出部は、前記第２の人物と前記第３の人物とが共に写っている画像内における前記第２の人物と前記第３の人物との間の距離を算出する、請求項８に記載の画像処理装置。
【請求項１０】
前記距離算出部は、前記第２の人物と前記第３の人物とが共に写っている画像から推定した前記第２の人物と前記第３の人物との間の実際の距離を算出する、請求項８に記載の画像処理装置。
【請求項１１】
さらに、前記各々の画像の解析結果に基づいて、前記第３の人物によって撮影され、かつ、前記第２の人物が写っている画像の数を算出する画像数算出部を備え、
前記親密度算出部は、前記第３の人物によって撮影され、かつ、前記第２の人物が写っている画像の数が多いほど、前記第２の人物と前記第３の人物との親密度を高くする、請求項６ないし１０のいずれか一項に記載の画像処理装置。
【請求項１２】
前記画像取得部は、ネットワークを介して、複数のユーザの端末装置から前記複数の画像を取得し、
前記画像数算出部は、前記第３の人物に対応するユーザの端末装置から前記第２の人物が写っている画像が前記画像取得部によって取得された場合に、前記第２の人物が写っている画像が、前記第３の人物によって撮影された画像であると判断する、請求項１１に記載の画像処理装置。
【請求項１３】
前記画像解析部は、前記各々の画像の付帯情報から、前記各々の画像の撮影日時および撮影場所の情報を取得し、
さらに、前記各々の画像の撮影日時または撮影場所の情報に基づいて、前記複数の画像を複数のグループに分割する画像分割部を備え、
前記親密度算出部は、前記グループ毎に、前記グループに含まれる画像に写っている人物同士の親密度を算出し、
前記人物特定部は、前記グループ毎に、前記グループに含まれる画像に写っている人物の中から、前記第３の人物を特定し、
前記画像特定部は、前記グループ毎に、前記グループに含まれる画像の中から、前記第３の画像を特定し、
前記画像配置部は、さらに、前記グループ毎に、前記第３の画像を、前記グループに対応する配置領域の前記第２の位置に配置する、請求項６ないし１２のいずれか一項に記載の画像処理装置。
【請求項１４】
さらに、前記各々の画像の解析結果に基づいて、前記各々の画像に写っている人物の中の中心人物を判定する中心人物判定部と、
前記画像取得部によって取得された複数の画像を、各々前記中心人物を含み、かつ、前記中心人物の数と同じ数のグループに分割する画像分割部とを備え、
前記画像特定部は、前記複数の画像の中から、前記中心人物が写っている画像を特定し、
前記画像配置部は、さらに、各々の前記中心人物が写っている画像を、各々の前記グループに対応する前記合成画像のページにおける画像の配置領域の中心の位置に配置する、請求項６ないし１２のいずれか一項に記載の画像処理装置。
【請求項１５】
前記親密度算出部は、前記中心人物のうち、第１の中心人物と前記第１の中心人物以外の全ての中心人物との親密度の和または平均値を前記第１の中心人物の総合親密度として算出し、かつ、前記第１の中心人物以外の全ての中心人物の各々の前記総合親密度を算出し、
前記画像配置部は、前記総合親密度が最も高い中心人物が写っている画像が配置されたページを、前記合成画像の全てのページのうちの中央のページの位置に配置する、請求項１４に記載の画像処理装置。
【請求項１６】
前記画像特定部は、前記総合親密度が最も高い人物を１番目に前記総合親密度が高い人物として、前記複数の画像の中から、２番目以降に前記総合親密度が高い人物が写っている画像を特定し、
前記画像配置部は、２番目および３番目に前記総合親密度が高い中心人物が写っている画像が配置されたページを、それぞれ、前記中央のページと前記合成画像の全てのページのうちの最初のページおよび最後のページとの中間のいずれかの位置に配置し、かつ、jを２以上の整数として、２j番目から２j人の前記総合親密度が高い中心人物が写っている画像が配置されたページを、それぞれ、前記中央のページ、前記最初のページおよび前記最後のページと２番目から２j−１番目に前記総合親密度が高い中心人物が写っている画像が配置されたページの配置位置との中間のいずれかの位置に配置する、請求項１５に記載の画像処理装置。
【請求項１７】
前記画像取得部は、ネットワークを介して、複数のユーザの端末装置から前記複数の画像および前記複数のユーザの顔画像を取得し、
前記親密度算出部は、前記各々の画像の解析結果、および、前記複数のユーザの顔画像に基づいて、前記複数の画像に写っている人物のうち、前記ユーザ同士の親密度を算出する、請求項１ないし１６のいずれか一項に記載の画像処理装置。
【請求項１８】
前記画像取得部は、ネットワークを介して、複数のユーザの端末装置から前記複数の画像を取得し、
さらに、前記複数のユーザの端末装置から、ネットワークを介して、前記複数のユーザのメッセージを取得するメッセージ取得部と、
前記メッセージの内容を解析するメッセージ解析部とを備え、
前記親密度算出部は、前記メッセージの解析結果に基づいて、前記複数のユーザのうちの第１ユーザが第２ユーザのことを前記メッセージにおいて言及した場合に、前記第１ユーザが前記第２ユーザのことを前記メッセージにおいて言及しなかった場合よりも、前記第１ユーザと前記第２ユーザとの親密度を一定値だけ高くする、請求項１ないし１７のいずれか一項に記載の画像処理装置。
【請求項１９】
画像取得部が、複数の画像を取得するステップと、
画像解析部が、前記複数の画像の各々の内容を解析するステップと、
親密度算出部が、前記各々の画像の解析結果に基づいて、前記複数の画像に写っている人物同士の親密度を算出し、前記複数の画像に写っている人物のうち、第１の人物と前記第１の人物以外の全ての人物との前記親密度の和または平均値を前記第１の人物の総合親密度として算出し、かつ、前記第１の人物以外の全ての人物の各々の前記総合親密度を算出するステップと、
画像配置部が、前記複数の画像のうちの２以上の画像を配置領域に配置して合成画像を作成するステップと、
画像特定部が、前記各々の画像の解析結果に基づいて、前記複数の画像の中から、前記総合親密度が最も高い人物が写っている第１の画像を特定するステップと、
前記画像配置部が、前記総合親密度が最も高い人物が写っている第１の画像を、前記配置領域の中心の位置に配置するステップとを含む、画像処理方法。
【請求項２０】
請求項１９に記載の画像処理方法の各々のステップをコンピュータに実行させるためのプログラム。
【請求項２１】
請求項１９に記載の画像処理方法の各々のステップをコンピュータに実行させるためのプログラムが記録されたコンピュータ読み取り可能な記録媒体。
【発明の詳細な説明】
【技術分野】
【０００１】
本発明は、複数のユーザの端末装置からネットワークを介して取得された複数の画像を用いて、フォトブック等の合成画像を作成する画像処理装置、画像処理方法、プログラムおよび記録媒体に関する。
【背景技術】
【０００２】
フォトブックは、ユーザが所有する複数の画像（画像データ）を、インターネットを経由してサービス提供業者に送信し、送信した複数の画像を用いてユーザが希望するレイアウトの写真集を作成するサービスである。
【０００３】
フォトブックは、例えば、画像の連続性や関連性を考慮して、撮影時刻等に基づいて複数の画像を複数のグループに分類し、各々のグループに含まれる画像を各々対応するページに自動配置（自動レイアウト）することによって作成される。
【０００４】
近年では、一人のユーザが所有する複数の画像だけを用いてフォトブックを作成するだけでなく、複数のユーザが所有する複数の画像を用いて１つのフォトブックを作成するもの（特許文献１および２参照）、および、複数のユーザから寄せ書き用のメッセージを取得し、複数のユーザから取得した寄せ書きメッセージを用いて寄せ書きを作成するもの（特許文献３および４参照）等が知られている。
また、実際に、複数のユーザが所有する複数の画像と、当該複数のユーザが寄せたメッセージなどを用いて１つのフォトブックを作成するサービスも行われている（非特許文献１〜３参照）。
【先行技術文献】
【特許文献】
【０００５】
【特許文献１】特開２００８−２５７３０８号公報
【特許文献２】特開２０１５−０６９４３１号公報
【特許文献３】特開２００１−２９７０５１号公報
【特許文献４】特開２０１５−１３３０００号公報
【非特許文献】
【０００６】
【非特許文献１】"イヤーアルバム 簡単にフォトブック・フォトアルバム作成"、[online]、平成２８年３月１日、富士フイルム、[平成２８年３月１０日検索]、インターネット<URL:http://year-album.jp/>
【非特許文献２】"みんなでつくるYear Album（イヤーアルバム）で寄せ書きフォトブックをつくろう！｜富士フイルム"、[online]、平成２８年３月１日、富士フイルム、[平成２８年３月１０日検索]、インターネット<URL:http://year-album.jp/minna/>
【非特許文献３】"作成方法：みんなでつくるYear Album（イヤーアルバム）で寄せ書きフォトブックをつくろう！｜富士フイルム"、[online]、平成２８年３月１日、富士フイルム、[平成２８年３月１０日検索]、インターネット<URL:http://year-album.jp/minna/login/>
【発明の概要】
【発明が解決しようとする課題】
【０００７】
例えば、特許文献２に記載されているように、複数のユーザが所有する複数の画像を用いてフォトブックを手軽に作成することができるシステムが求められている。特許文献２には、ネットワーク上の他のユーザの画像群から、合成画像に適合する候補画像を選択することが記載されている。また、画像の撮影日時および撮影場所、画像のタイトルおよびコメント、画像に写っている人物の類似度等を用いて、候補画像を選択することが記載されている。
【０００８】
フォトブックを作成する場合、特に、仲が良いグループに属する複数のユーザが所有する複数の画像を共有してフォトブックを作成する場合等には、そのグループの中でも特に親しいユーザ同士の情報を考慮して画像の配置をレイアウトすることによって、そのグループに属する複数のユーザの人間関係を反映したレイアウトのフォトブックを作成することができると考えられる。しかし、特許文献２は、そのような課題に対して解決手段を与えるものではない。
【０００９】
本発明の目的は、複数のユーザが所有する複数の画像を用いて合成画像を作成する場合に、ユーザ同士の人間関係を反映したレイアウトの合成画像を作成することができる画像処理装置、画像処理方法、プログラムおよび記録媒体を提供することにある。
【課題を解決するための手段】
【００１０】
上記目的を達成するために、本発明は、複数の画像を取得する画像取得部と、
複数の画像の各々の内容を解析する画像解析部と、
各々の画像の解析結果に基づいて、複数の画像に写っている人物同士の親密度を算出し、複数の画像に写っている人物のうち、第１の人物と第１の人物以外の全ての人物との親密度の和または平均値を第１の人物の総合親密度として算出し、かつ、第１の人物以外の全ての人物の各々の総合親密度を算出する親密度算出部と、
複数の画像のうちの２以上の画像を配置領域に配置して合成画像を作成する画像配置部と、
各々の画像の解析結果に基づいて、複数の画像の中から、総合親密度が最も高い人物が写っている第１の画像を特定する画像特定部とを備え、
画像配置部は、総合親密度が最も高い人物が写っている第１の画像を、配置領域の中心の位置に配置する、画像処理装置を提供する。
【００１１】
また、画像特定部は、総合親密度が最も高い人物を１番目に総合親密度が高い人物として、複数の画像の中から、２番目以降に総合親密度が高い人物が写っている画像を特定し、
画像配置部は、２番目以降に総合親密度が高い人物が写っている画像を、総合親密度がより高い人物が写っている画像であるほど、配置領域の中心の位置により近い位置に配置することが好ましい。
【００１２】
また、画像特定部は、総合親密度が最も高い人物を１番目に総合親密度が高い人物として、複数の画像の中から、２番目以降に総合親密度が高い人物が写っている画像を特定し、
画像配置部は、２番目に総合親密度が高い人物が写っている画像を、配置領域の中心と端辺との中間の領域に配置し、かつ、iを１以上の整数として、１＋２i番目から２i人の総合親密度が高い人物が写っている画像を、それぞれ、配置領域の中心および端辺と２番目から２i番目に総合親密度が高い人物が写っている画像の配置領域との中間のいずれかの領域に配置することが好ましい。
【００１３】
また、画像配置部は、２番目に総合親密度が高い人物が写っている画像を、配置領域の中心と端辺との中間の領域の１箇所の位置にまとめて配置し、かつ、１＋２i番目から２i人の総合親密度が高い人物が写っている画像を、それぞれ、配置領域の中心および端辺と２番目から２i番目に総合親密度が高い人物が写っている画像の配置領域との中間のいずれかの領域の１箇所の位置にまとめて配置することが好ましい。
【００１４】
画像特定部は、総合親密度が最も高い人物を１番目に総合親密度が高い人物として、複数の画像の中から、２番目以降に総合親密度が高い人物が写っている画像を特定し、
画像配置部は、２番目および３番目に総合親密度が高い人物が写っている画像を、配置領域の中心の位置を中心として、配置領域の中心と端辺との中間の領域において互いに対向する配列方向の位置にまとめて配置し、かつ、kを２以上の整数として、２k番目から２k人の総合親密度が高い人物が写っている画像を、２k人のうちの２人の総合親密度が高い人物毎に、配置領域の中心の位置を中心として、配置領域の中心および端辺と２番目から２k−１番目に総合親密度が高い人物が写っている画像の配置領域との中間のいずれかの領域において、２番目から２番目から２k−１番目までの総合親密度が高い人物が写っている画像の配列方向とは異なり、互いに対向する配列方向の位置にまとめて配置し、かつ、２k番目から２k人の総合親密度が高い人物が写っている画像を一方向に配置することが好ましい。
【００１５】
さらに、複数の画像のうち、第２の人物が写っている第２の画像が配置領域の第１の位置に配置された場合に、各々の画像の解析結果、および、人物同士の親密度に基づいて、複数の画像に写っている人物の中から、第２の人物との親密度が閾値を超える第３の人物を特定する人物特定部を備え、
画像特定部は、各々の画像の解析結果に基づいて、複数の画像の中から、第３の人物が写っている第３の画像を特定し、
画像配置部は、第３の画像を、配置領域の第１の位置に隣接する第２の位置に配置することが好ましい。
【００１６】
さらに、各々の画像の解析結果に基づいて、第２の人物と第３の人物とが共に写っている画像の数を算出する画像数算出部を備え、
親密度算出部は、第２の人物と第３の人物とが共に写っている画像の数が多いほど、第２の人物と第３の人物との親密度を高くすることが好ましい。
【００１７】
さらに、各々の画像の解析結果に基づいて、第２の人物と第３の人物が共に写っている画像から、第２の人物と第３の人物との間の距離を算出する距離算出部を備え、
親密度算出部は、第２の人物と第３の人物との間の距離が近いほど、第２の人物と第３の人物との親密度を高くすることが好ましい。
【００１８】
また、距離算出部は、第２の人物と第３の人物とが共に写っている画像内における第２の人物と第３の人物との間の距離を算出することが好ましい。
【００１９】
また、距離算出部は、第２の人物と第３の人物とが共に写っている画像から推定した第２の人物と第３の人物との間の実際の距離を算出することが好ましい。
【００２０】
さらに、各々の画像の解析結果に基づいて、第３の人物によって撮影され、かつ、第２の人物が写っている画像の数を算出する画像数算出部を備え、
親密度算出部は、第３の人物によって撮影され、かつ、第２の人物が写っている画像の数が多いほど、第２の人物と第３の人物との親密度を高くすることが好ましい。
【００２１】
また、画像取得部は、ネットワークを介して、複数のユーザの端末装置から複数の画像を取得し、
画像数算出部は、第３の人物に対応するユーザの端末装置から第２の人物が写っている画像が画像取得部によって取得された場合に、第２の人物が写っている画像が、第３の人物によって撮影された画像であると判断することが好ましい。
【００２２】
また、画像解析部は、各々の画像の付帯情報から、各々の画像の撮影日時および撮影場所の情報を取得し、
さらに、各々の画像の撮影日時または撮影場所の情報に基づいて、複数の画像を複数のグループに分割する画像分割部を備え、
親密度算出部は、グループ毎に、グループに含まれる画像に写っている人物同士の親密度を算出し、
人物特定部は、グループ毎に、グループに含まれる画像に写っている人物の中から、第３の人物を特定し、
画像特定部は、グループ毎に、グループに含まれる画像の中から、第３の画像を特定し、
画像配置部は、さらに、グループ毎に、第３の画像を、グループに対応する配置領域の第２の位置に配置することが好ましい。
【００２３】
さらに、各々の画像の解析結果に基づいて、各々の画像に写っている人物の中の中心人物を判定する中心人物判定部と、
画像取得部によって取得された複数の画像を、各々中心人物を含み、かつ、中心人物の数と同じ数のグループに分割する画像分割部とを備え、
画像特定部は、複数の画像の中から、中心人物が写っている画像を特定し、
画像配置部は、さらに、各々の中心人物が写っている画像を、各々のグループに対応する合成画像のページにおける画像の配置領域の中心の位置に配置することが好ましい。
【００２４】
また、親密度算出部は、中心人物のうち、第１の中心人物と第１の中心人物以外の全ての中心人物との親密度の和または平均値を第１の中心人物の総合親密度として算出し、かつ、第１の中心人物以外の全ての中心人物の各々の総合親密度を算出し、
画像配置部は、総合親密度が最も高い中心人物が写っている画像が配置されたページを、合成画像の全てのページのうちの中央のページの位置に配置することが好ましい。
【００２５】
また、画像特定部は、総合親密度が最も高い人物を１番目に総合親密度が高い人物として、複数の画像の中から、２番目以降に総合親密度が高い人物が写っている画像を特定し、
画像配置部は、２番目および３番目に総合親密度が高い中心人物が写っている画像が配置されたページを、それぞれ、中央のページと合成画像の全てのページのうちの最初のページおよび最後のページとの中間のいずれかの位置に配置し、かつ、jを２以上の整数として、２j番目から２j人の総合親密度が高い中心人物が写っている画像が配置されたページを、それぞれ、中央のページ、最初のページおよび最後のページと２番目から２j−１番目に総合親密度が高い中心人物が写っている画像が配置されたページの配置位置との中間のいずれかの位置に配置することが好ましい。
【００２６】
また、画像取得部は、ネットワークを介して、複数のユーザの端末装置から複数の画像および複数のユーザの顔画像を取得し、
親密度算出部は、各々の画像の解析結果、および、複数のユーザの顔画像に基づいて、複数の画像に写っている人物のうち、ユーザ同士の親密度を算出することが好ましい。
【００２７】
また、画像取得部は、ネットワークを介して、複数のユーザの端末装置から複数の画像を取得し、
さらに、複数のユーザの端末装置から、ネットワークを介して、複数のユーザのメッセージを取得するメッセージ取得部と、
メッセージの内容を解析するメッセージ解析部とを備え、
親密度算出部は、メッセージの解析結果に基づいて、複数のユーザのうちの第１ユーザが第２ユーザのことをメッセージにおいて言及した場合に、第１ユーザが第２ユーザのことをメッセージにおいて言及しなかった場合よりも、第１ユーザと第２ユーザとの親密度を一定値だけ高くすることが好ましい。
【００２８】
また、本発明は、画像取得部が、複数の画像を取得するステップと、
画像解析部が、複数の画像の各々の内容を解析するステップと、
親密度算出部が、各々の画像の解析結果に基づいて、複数の画像に写っている人物同士の親密度を算出し、複数の画像に写っている人物のうち、第１の人物と第１の人物以外の全ての人物との親密度の和または平均値を第１の人物の総合親密度として算出し、かつ、第１の人物以外の全ての人物の各々の総合親密度を算出するステップと、
画像配置部が、複数の画像のうちの２以上の画像を配置領域に配置して合成画像を作成するステップと、
画像特定部が、各々の画像の解析結果に基づいて、複数の画像の中から、総合親密度が最も高い人物が写っている第１の画像を特定するステップと、
画像配置部が、総合親密度が最も高い人物が写っている第１の画像を、配置領域の中心の位置に配置するステップとを含む、画像処理方法を提供する。
【００２９】
また、本発明は、上記に記載の画像処理方法の各々のステップをコンピュータに実行させるためのプログラムを提供する。
【００３０】
また、本発明は、上記に記載の画像処理方法の各々のステップをコンピュータに実行させるためのプログラムが記録されたコンピュータ読み取り可能な記録媒体を提供する。
【発明の効果】
【００３１】
本発明によれば、人物同士の親密度に基づいて画像の配置位置を決定することにより、人物同士の現実の人間関係を反映したレイアウトの合成画像を作成することができる。
【図面の簡単な説明】
【００３２】
【図１】本発明に係る画像処理装置の構成を表す一実施形態のブロック図である。
【図２】図１に示すサーバの構成を表す一実施形態のブロック図である。
【図３】図２に示す情報設定部の構成を表す一実施形態のブロック図である。
【図４】図２に示す情報管理部の構成を表す一実施形態のブロック図である。
【図５】図２に示すデータ取得部の構成を表す一実施形態のブロック図である。
【図６】図２に示すデータ解析部の構成を表す一実施形態のブロック図である。
【図７】図２に示す合成画像作成部の構成を表す一実施形態のブロック図である。
【図８】図７に示す本編作成部の構成を表す一実施形態のブロック図である。
【図９】図７に示す寄せ書き作成部の構成を表す一実施形態のブロック図である。
【図１０】図１に示すユーザの端末装置の構成を表す一実施形態のブロック図である。
【図１１】図１に示す画像処理装置の動作を表す一実施形態のフローチャートである。
【図１２】図１１に続く画像処理装置の動作を表す一実施形態のフローチャートである。
【図１３】図１２に続く画像処理装置の動作を表す一実施形態のフローチャートである。
【図１４】合成画像の予算を設定する画面を表す一例の概念図である。
【図１５】フォトブックの表紙ページのデザインを設定する画面を表す一例の概念図である。
【図１６】フォトブックの寄せ書きページのデザインを設定する画面を表す一例の概念図である。
【図１７】画像および寄せ書きメッセージの募集締切日を設定する画面を表す一例の概念図である。
【図１８】合成画像の作成期間を設定する画面を表す一例の概念図である。
【図１９】画像商品の配送日を設定する画面を表す一例の概念図である。
【図２０】画像商材および日程の情報を確認する画面を表す一例の概念図である。
【図２１】アカウント情報を入力する画面を表す一例の概念図である。
【図２２】幹事ユーザのログインと、画像商材および日程の情報の保存とが完了したことを表す画面を表す一例の概念図である。
【図２３】参加ユーザの端末装置へ送付する招待状を作成するための画面を表す一例の概念図である。
【図２４】招待状の内容を確認するための画面を表す一例の概念図である。
【図２５】招待状を参加ユーザの端末装置へ送付するための画面を表す一例の概念図である。
【図２６】受け取った招待状を表す画面を表す一例の概念図である。
【図２７】合成画像において使用される画像、画像の評価情報、寄せ書きメッセージ等を参加ユーザがアップロードする画面にアクセスするための共通パスワードを入力するための画面を表す一例の概念図である。
【図２８】新規な参加ユーザを登録するための画面を表す一例の概念図である。
【図２９】参加ユーザとして登録する名前および秘密のコトバを登録するための画面を表す一例の概念図である。
【図３０】参加ユーザがアップロードする画像を選択するための画面を表す一例の概念図である。
【図３１】２以上の参加ユーザの端末装置から送信された複数の画像の各々を評価するための画面を表す一例の概念図である。
【図３２】寄せ書きページがフォトブックの巻末に入ることを通知する画面を表す一例の概念図である。
【図３３】寄せ書きページにおいて使用する参加ユーザのプロフィール画像を設定するための画面を表す一例の概念図である。
【図３４】寄せ書きメッセージを入力するための画面を表す一例の概念図である。
【図３５】参加ユーザが入力した寄せ書きメッセージを確認するための画面を表す一例の概念図である。
【図３６】寄せ書きメッセージのアップロードが完了したことを表す画面を表す一例の概念図である。
【図３７】画像の配置方法を表す一実施形態の概念図である。
【図３８】画像の配置方法を表す別の実施形態の概念図である。
【図３９】本編ページの配置方法を表す一実施形態の概念図である。
【発明を実施するための形態】
【００３３】
以下に、添付の図面に示す好適実施形態に基づいて、本発明の画像処理装置、画像処理方法、プログラムおよび記録媒体を詳細に説明する。
【００３４】
図１は、本発明に係る画像処理装置の構成を表す一実施形態のブロック図である。同図に示す画像処理装置１０は、合成画像の作成に関わる複数のユーザの端末装置からネットワーク１６を介して取得された複数の画像を用いて、寄せ書きページを含むフォトブック等の合成画像を作成する。画像処理装置１０は、サーバ１２と、ネットワーク１６を介してサーバ１２に接続された複数のユーザの端末装置（クライアント）１４とを備えている。
【００３５】
サーバ１２は、端末装置１４からの指示に基づいて、合成画像を作成するための種々のデータ処理を行うものであり、例えば、デスクトップPC（Personal Computer：パーソナルコンピュータ）またはワークステーション等により構成される。
【００３６】
端末装置１４は、サーバ１２に対して各種の指示を与えて種々のデータ処理を行わせるものであり、例えば、スマートフォン、タブレットPCまたはノートPC等により構成される。
【００３７】
ネットワーク１６は、例えば、電話回線またはインターネット回線等であり、有線または無線によってサーバ１２と端末装置１４との間を相互に接続し、双方向の通信を可能とする。
【００３８】
図２は、図１に示すサーバの構成を表す一実施形態のブロック図である。同図に示すサーバ１２は、合成画像に関する各種の情報を設定する情報設定部１８と、合成画像の作成に関する各種の情報を管理する情報管理部２０と、合成画像において使用する各種のデータを取得するデータ取得部２２と、合成画像において使用する各種のデータを解析するデータ解析部２４と、合成画像を作成する合成画像作成部２６とを備えている。
【００３９】
以下の説明では、本編ページおよび寄せ書きページを含む合成画像の作成に関わる複数のユーザのうち、合成画像を作成する一人のユーザを幹事ユーザと表現し、幹事ユーザを含む２以上のユーザを参加ユーザと表現する。例えば、幹事が友人グループのうちの一人である場合などがこれに該当する。
ただし、別の実施態様において、写真店が幹事の代行を請け負う場合のように幹事自体は写真もメッセージも提供しないような場合は、参加ユーザの数には幹事ユーザの数は含まないものとする。
【００４０】
図３は、図２に示す情報設定部の構成を表す一実施形態のブロック図である。同図に示す情報設定部１８は、予算設定部２８と、商材取得部３０と、表紙デザイン設定部３２と、寄せ書きデザイン設定部３４と、日程設定部３６とを備えている。
【００４１】
予算設定部２８は、幹事ユーザによって設定された合成画像の予算の情報を、ネットワーク１６を介して、幹事ユーザの端末装置１４から取得する。
【００４２】
続いて、商材取得部３０は、予算設定部２８によって取得された予算の情報に対応するサイズおよびページ数の１以上の画像商材（画像商材の情報）の中から、幹事ユーザによって設定された１つの画像商材を、ネットワーク１６を介して、幹事ユーザの端末装置１４から取得する。
【００４３】
画像商材は、画像商品を作成するための素材であり、例えば、フォトブック等のフォトアルバム、シャッフルプリント、画像付きカレンダ等を含む。画像は主に写真である。
また、画像商材には、各々サイズおよびページ数のうちの少なくとも一方が異なる複数種類の画像商材が含まれる。画像商材のページ数は、本編ページおよび寄せ書きページを含むページ数である。画像商品には、紙媒体の画像商品および電子データの画像商品が含まれる。
本発明にいうページとは、画像配置および寄せ書き配置を行う単位をいう。本実施形態においては、見開きページのことを指す。しかし他の実施形態においては片面ページであってもよい。また、本実施形態内の画像処理装置１０の内部では見開きページを単位とし、かつユーザには片面ページを単位として画像商材のページ数を表示することとしてもよい。
【００４４】
フォトブックは、例えば、ユーザが選択した複数の画像を、ユーザの所望のレイアウトで複数のページに配置した合成画像である。フォトブックはまた、ユーザが保有する所望の期間（例えば一年分）の画像から、自動選択により選択された画像を、自動レイアウトで複数のページに配置した合成画像であってもよい（例えば富士フイルム株式会社製のイヤーアルバム）。また、シャッフルプリントは、複数の画像をシャッフルして１枚のプリントに配置した合成画像である。画像付きカレンダは、例えば、各月のカレンダに対応する画像を配置した合成画像である。
【００４５】
本実施形態の場合、合成画像は、寄せ書きページを巻末に含むフォトブックである。寄せ書きページは、参加ユーザの端末装置１４から取得された２以上の参加ユーザの寄せ書きメッセージが配置された合成画像である。寄せ書きメッセージは、寄せ書きページにおいて使用される参加ユーザのメッセージである。
また、寄せ書きメッセージに加えて、プロフィール画像を寄せ書きページに配置してもよい。プロフィール画像は、例えば、参加ユーザの顔画像であるが、その他の画像でもよい。
【００４６】
続いて、表紙デザイン設定部３２は、１以上の表紙ページのデザインの中から、幹事ユーザによって設定された１つの表紙ページのデザインの情報を、ネットワーク１６を介して、幹事ユーザの端末装置１４から取得する。
【００４７】
表紙ページのデザインの情報には、例えば、表紙ページの模様、表紙ページに描かれているイラスト等のデザインの情報の他、表紙ページに記載される合成画像のタイトルの情報、表紙ページの色の情報等が含まれる。
【００４８】
続いて、寄せ書きデザイン設定部３４は、１以上の寄せ書きページのデザインの中から、幹事ユーザによって設定された１つの寄せ書きページのデザインの情報を、ネットワーク１６を介して、幹事ユーザの端末装置１４から取得する。
【００４９】
寄せ書きページのデザインの情報には、例えば、参加ユーザのプロフィール画像および寄せ書きメッセージを寄せ書きページに配置する位置および大きさ等があらかじめ設定されたテンプレートの情報等を含む。
【００５０】
続いて、日程設定部３６は、幹事ユーザによって設定された画像および寄せ書きメッセージの募集締切日、合成画像の作成期間、および、画像商品の配送日を含む日程の情報を、ネットワーク１６を介して、幹事ユーザの端末装置１４から取得する。
【００５１】
画像および寄せ書きメッセージの募集締切日は、参加ユーザが画像および寄せ書きメッセージをアップロード（投稿）することができる期限、つまり、画像処理装置１０が参加ユーザの端末装置１４から画像および寄せ書きメッセージを取得することができる期限を表す。
また、合成画像の作成期間は、幹事ユーザが、複数のユーザの端末装置１４から取得された複数の画像を用いて合成画像を作成するための期間、言い換えると、画像商品を注文する期限を表し、画像商品の配送日は、画像商品を配送する日付を表す。
【００５２】
続いて、図４は、図２に示す情報管理部の構成を表す一実施形態のブロック図である。同図に示す情報管理部２０は、設定保存部３８と、アカウント情報保存部４０と、管理画面情報送付部４２と、アップロード催促部４４とを備えている。
【００５３】
設定保存部３８は、商材取得部３０によって取得された画像商材、および、日程設定部３６によって取得された日程の情報を保存する。
【００５４】
続いて、アカウント情報保存部４０は、幹事ユーザによって設定された幹事ユーザのアカウント情報を、ネットワーク１６を介して、幹事ユーザの端末装置１４から取得する。また、アカウント情報保存部４０は、参加ユーザによって設定された参加ユーザのアカウント情報を、ネットワーク１６を介して、参加ユーザの端末装置１４から取得して保存する。
【００５５】
例えば、幹事ユーザのアカウント情報は、幹事ユーザのメールアドレスおよび幹事パスワードである。一方、参加ユーザのアカウント情報は、参加ユーザの名前および個別パスワード（参加ユーザに対しては図２９にあるように「秘密のコトバ」と表示される）である。参加ユーザの名前は、幹事ユーザが参加ユーザを管理するために使用され、個別パスワードは、画像処理装置１０が参加ユーザを特定するために使用される。本実施形態の場合、秘密のコトバは、後から変更および再発行はできないものとする。
【００５６】
続いて、管理画面情報送付部４２は、幹事ユーザが、画像商材および日程等を管理する管理画面にアクセスするためのURL（Uniform Resource Locator）を含むメッセージを、ネットワーク１６を介して、幹事ユーザの端末装置１４に送付する。幹事ユーザは、管理画面から画像商材および日程の変更の他、幹事ユーザの変更、幹事ユーザの追加（例えば後述する副幹事の追加）等を行うことができる。
【００５７】
管理画面情報送付部４２は、例えば、電子メールにより、管理画面にアクセスするためのURLを含むメッセージを、アカウント情報保存部４０によって取得された幹事ユーザのメールアドレスに送付する。
【００５８】
続いて、アップロード催促部４４は、幹事ユーザによって作成された招待状を、ネットワーク１６を介して、参加ユーザの端末装置１４へ送付する。
【００５９】
招待状は、参加ユーザを合成画像の作成に招待し、合成画像において使用される画像、各々の画像に対する評価情報、プロフィール画像および寄せ書きメッセージ等をアップロードすることを参加ユーザに催促する催促情報である。
【００６０】
アップロード催促部４４は、招待状を、例えば、SNS（Social Networking Service：ソーシャルネットワーキングサービス）のメッセージ、または、電子メールによって参加ユーザの端末装置１４に送付する。
【００６１】
続いて、図５は、図２に示すデータ取得部の構成を表す一実施形態のブロック図である。同図に示すデータ取得部２２は、画像取得部４６と、評価情報取得部４８と、メッセージ取得部５０とを備えている。
【００６２】
画像取得部４６は、一定の期間、本実施形態の場合、招待状が送付されてから、日程設定部３６によって設定された画像および寄せ書きメッセージの募集締切日までの期間、２以上の参加ユーザの端末装置１４からネットワーク１６を介して送信された複数の画像（画像群）を取得する。また、画像取得部４６は、各々の参加ユーザによって設定された参加ユーザのプロフィール画像を取得する。
【００６３】
画像取得部４６は、参加ユーザの端末装置１４からネットワーク１６を介して送信された複数の画像（画像群）を取得したのち、その複数の画像がどの参加ユーザから送信されたものであるかを画像と関連付けて保存する。また、画像取得部４６は、参加ユーザの端末装置１４からネットワーク１６を介して送信されたプロフィール画像についても、どの参加ユーザから送信されたものであるかをプロフィール画像と関連付けて保存する。
【００６４】
続いて、評価情報取得部４８は、同じく一定の期間、２以上の参加ユーザによって付与された各々の画像に対する評価を表す評価情報を、ネットワーク１６を介して、２以上の参加ユーザの端末装置１４から取得する。
【００６５】
画像の評価情報は、各々の画像に対する各々の参加ユーザの評価、例えば、高評価または低評価を表す情報である。
【００６６】
続いて、メッセージ取得部５０は、同じく一定の期間、各々の参加ユーザによってアップロードされた寄せ書きメッセージを、ネットワーク１６を介して、各々の参加ユーザの端末装置１４から取得する。
【００６７】
メッセージ取得部５０は、参加ユーザの端末装置１４からネットワーク１６を介して送信された寄せ書きメッセージについて、どの参加ユーザから送信されたものであるかを寄せ書きメッセージと関連付けて保存する。
【００６８】
続いて、図６は、図２に示すデータ解析部の構成を表す一実施形態のブロック図である。同図に示すデータ解析部２４は、画像数算出部５２と、評価数算出部５４と、メッセージ数算出部５６と、画像解析部５８と、評価値算出部６０と、親密度算出部７２と、距離算出部７４と、中心人物判定部７６と、メッセージ解析部７８とを備えている。
【００６９】
画像数算出部５２は、アップロード催促部４４によって招待状が送付されてから一定の期間が経過した後、つまり、画像および寄せ書きメッセージの募集締切日が過ぎた後、画像取得部４６によって取得された画像の数を算出する。
【００７０】
続いて、評価数算出部５４は、同じく画像および寄せ書きメッセージの募集締切日が過ぎた後、評価情報取得部４８によって取得された高評価および低評価を表す評価情報の数を算出する。
【００７１】
続いて、メッセージ数算出部５６は、同じく画像および寄せ書きメッセージの募集締切日が過ぎた後、メッセージ取得部５０によって取得された寄せ書きメッセージの数を算出する。
【００７２】
続いて、画像解析部５８は、画像取得部４６によって取得された各々の画像の内容を解析する。本実施形態の場合、画像解析部５８は、画像取得部４６によって画像が取得される毎に、画像解析を行う。
【００７３】
画像解析部５８は、例えば、画像の明るさや色合い、ボケおよびブレの程度等の解析の他、画像に人物の顔が含まれる場合には、顔の大きさ、顔の位置、顔の向き、顔の肌色、笑顔等の表情、目線、画像に含まれる人物の数、人物の位置関係等の解析を行う。
【００７４】
続いて、評価値算出部６０は、画像解析部５８による各々の画像の解析結果に基づいて、各々の画像の解析評価値を算出する。また、評価値算出部６０は、評価情報取得部４８によって取得された各々の画像に対する高評価および低評価を表す評価情報に基づいて、各々の画像の解析評価値に対して値を加減算ないしは重み付けして、各々の画像の総合評価値を算出する。
【００７５】
評価値算出部６０は、例えば、評価数算出部５４によって算出された高評価を表す評価情報の数に基づいて、画像の解析評価値に対して値を加算し、低評価を表す評価情報の数に基づいて、画像の解析評価値に対して値を減算することによって画像の総合評価値を算出することができる。
【００７６】
画像の解析評価値は、画像の解析結果に基づいて算出されるため、画像の良し悪しを決定するための基準となり、解析評価値が高いほど、画質の良い画像であると言える。
画像の総合評価値は、画像の解析結果に加えて、参加ユーザによって付与された高評価および低評価を表す評価情報に基づいて算出されるため、画像の良し悪しに加えて、参加ユーザの好みを判断するための基準となり、総合評価値が高いほど、画質の良い画像、または、参加ユーザの好みの画像であると言える。
【００７７】
続いて、親密度算出部７２は、各々の画像の解析結果に基づいて、複数の画像に写っている人物同士の親密度および総合親密度を算出する。
【００７８】
親密度は、複数の画像に写っている人物のうちの二人の人物同士の親しさの程度を表す。これに対し、総合親密度は、複数の画像に写っている人物のうち、各々の人物とその各々の人物以外の全ての人物との親密度の和または平均値を表す。従って、複数の画像に写っている人物のうち、総合親密度がより高い人物であるほど、より多くの人物と親しい人物であると考えることができる。
【００７９】
続いて、距離算出部７４は、各々の画像の解析結果に基づいて、第２の人物と第３の人物が共に写っている画像から、第２の人物と第３の人物との間の距離を算出する。
【００８０】
距離算出部７４は、例えば、第２の人物と第３の人物とが共に写っている画像から、その画像内における第２の人物と第３の人物との間の距離を算出しよもよいし、その画像から、第２の人物と第３の人物との間の実際の距離を推定して算出してもよい。
【００８１】
続いて、中心人物判定部７６は、各々の画像の解析結果に基づいて、各々の画像に写っている人物の中の中心人物を判定する。
【００８２】
各々の画像に写っている人物の中から中心人物を判定する方法は特に限定されないが、例えば、画像の中心位置に写っている人物、画像において最も大きいサイズで写っている人物等を中心人物と判定することができる。
【００８３】
続いて、メッセージ解析部７８は、メッセージ取得部５０によって取得された寄せ書きメッセージの内容を解析する。
【００８４】
続いて、図７は、図２に示す合成画像作成部の構成を表す一実施形態のブロック図である。同図に示す合成画像作成部２６は、表紙作成部６２と、本編作成部６４と、寄せ書き作成部６６とを備えている。
【００８５】
表紙作成部６２は、設定保存部３８に保存された商材の情報、および、表紙デザイン設定部３２によって取得された表紙ページのデザインの情報に対応するデザインの表紙ページを作成する。
【００８６】
続いて、本編作成部６４は、画像取得部４６によって取得された複数の画像を用いて、設定保存部３８に保存された商材の情報に対応するページ数の本編ページ（表紙ページおよび寄せ書きページ以外のページ）を作成する。本編作成部６４は、設定保存部３８に保存された商材の情報に対応する合成画像、本実施形態の場合、フォトブックの本編ページを作成する。
【００８７】
本編作成部６４は、図８に示すように、画像分割部８０、画像抽出部８２、画像配置部８４、人物特定部８６、および、画像特定部８８等を備えている。
【００８８】
画像分割部８０は、画像取得部４６によって取得された複数の画像を、本編ページのページ数に対応する数のグループに分割する。
【００８９】
画像抽出部８２は、画像のグループ毎に、画像の総合評価値に基づいて、グループに含まれる画像の中から、本編ページにおいて使用する複数の合成対象画像を抽出する。
【００９０】
画像配置部８４は、画像のグループ毎に、画像の総合評価値に基づいて、画像抽出部８２によって抽出された各々の合成対象画像のサイズおよび本編ページにおける配置位置を決定し、合成対象画像を、画像のグループに対応するページの本編ページに配置（自動レイアウト）する。画像配置部８４は、１つの合成対象画像、または、２以上の合成対象画像を本編ページの配置領域に配置して合成画像を作成する。
【００９１】
続いて、人物特定部８６は、複数の画像のうち、画像配置部８４によって第２の人物が写っている第２の画像が配置領域の第１の位置に配置された場合に、各々の画像の解析結果、および、親密度算出部７２によって算出された人物同士の親密度に基づいて、複数の画像に写っている人物の中から、第２の人物との親密度が閾値を超える第３の人物を特定する。
【００９２】
続いて、画像特定部８８は、各々の画像の解析結果に基づいて、複数の画像の中から、人物特定部８６によって特定された第３の人物が写っている第３の画像を特定する。また、画像特定部８８は、複数の画像の中から、親密度算出部７２によって算出された総合親密度が最も高い人物、つまり、１番目に総合親密度が高い人物が写っている画像および２番目以降に総合親密度が高い人物が写っている画像、中心人物判定部７６によって判定された中心人物が写っている画像等を特定する。
【００９３】
続いて、寄せ書き作成部６６は、メッセージ取得部５０によって取得された参加ユーザのプロフィール画像および寄せ書きメッセージを用いて、寄せ書きページを作成する。寄せ書き作成部６６は、設定保存部３８に保存された商材の情報、および、寄せ書きデザイン設定部３４によって取得された寄せ書きのデザインの情報に対応するデザインの寄せ書きページを作成する。
【００９４】
寄せ書き作成部６６は、図９に示すように、メッセージ分割部９０およびメッセージ配置部９２等を備えている。
【００９５】
メッセージ分割部９０は、メッセージ取得部５０によって取得された寄せ書きメッセージを、寄せ書きページのページ数に対応する数のグループに分割する。
【００９６】
メッセージ配置部９２は、寄せ書きメッセージのグループ毎に、グループに含まれる寄せ書きメッセージを、寄せ書きメッセージのグループに対応するページの寄せ書きページに配置する。
【００９７】
寄せ書きページのページ数は、参加ユーザの数および寄せ書きメッセージの数等に応じて設定される。また、本編ページのページ数は、合成画像のページ数および寄せ書きページのページ数等に応じて設定される。本実施形態の場合、参加ユーザの数を２〜３６人とし、１ページの寄せ書きページに２〜１２の寄せ書きメッセージを配置し、１６ページのフォトブックを作成するものとする。
【００９８】
上記情報設定部１８、情報管理部２０、データ取得部２２、データ解析部２４、合成画像作成部２６を構成する各部位は、例えば、CPU（Central Processing Unit：中央処理装置）等の制御デバイスが、メモリにロードされたプログラムを実行することにより実現される。また、各部位によって保存されるデータは、例えば、HDD（Hard Disk Drive：ハードディスクドライブ）、SSD（Solid State Drive：ソリッドステートドライブ）、SD（Secure Digital：セキュアデジタル）メモリ等の記憶デバイスに保存される。
【００９９】
次に、図８は、図１に示すユーザの端末装置の構成を表す一実施形態のブロック図である。同図に示すユーザの端末装置１４は、画像表示部６８と、指示入力部７０とを備えている。
【０１００】
端末装置１４において、画像表示部６８は、各種の設定画面、選択画面、確認画面、入力画面、作成画面等を表示するものであり、例えば、液晶ディスプレイ等の表示デバイスによって構成される。
【０１０１】
続いて、指示入力部７０は、ユーザによって入力された各種の設定指示、選択指示、確認指示、入力指示、作成指示等を取得するものであり、例えば、キーボードおよびマウス等の入力デバイスによって構成される。
【０１０２】
本実施形態の場合、画像表示部６８および指示入力部７０は、タッチパネル等のように、表示デバイスおよび入力デバイスが一体化されたデバイスによって構成される。
【０１０３】
端末装置１４は、合成画像の作成に関わる各々のユーザに１対１に対応して１台である必要はなく、画像処理装置１０における各々のユーザのアカウントに対応することができるものであれば、各々のユーザに対応して複数台であってもよい。
【０１０４】
図示省略しているが、サーバ１２および端末装置１４は、例えば、サーバ１２と端末装置１４との間で各種データの送受信を行う通信デバイス等である送受信部、各部位の動作を制御するCPU等である制御部等を備えている。
【０１０５】
次に、図９〜図１１に示すフローチャートおよび図１２〜図３４に示す表示画面を参照しながら、画像処理装置１０の動作を説明する。
【０１０６】
合成画像を作成する場合、まず、幹事ユーザは、幹事ユーザの端末装置１４において、指示入力部７０を介して、画像処理装置１０が提供する、合成画像を作成するためのウェブサイトにアクセスする。
【０１０７】
合成画像を作成するためのウェブサイトにアクセスすると、図１２に示すように、予算設定部２８により、合成画像の予算を設定する画面が、幹事ユーザの端末装置１４の画像表示部６８に表示される。
【０１０８】
幹事ユーザは、合成画像の予算を設定する画面において、指示入力部７０を介して、幹事ユーザが作成する合成画像の予算を設定する。図１２の例では、プルダウンメニューによって、合成画像の予算の一覧があらかじめ登録されている。幹事ユーザは、プルダウンメニューに登録されている合成画像の予算の一覧の中から１つの予算、例えば、３０００円〜４０００円を選択して設定する。
【０１０９】
合成画像の予算が設定されると、予算設定部２８により、幹事ユーザによって設定された合成画像の予算の情報が、幹事ユーザの端末装置１４から取得される（ステップS1）。
【０１１０】
続いて、商材取得部３０により、予算の情報に対応する１以上の画像商材が提示される。図１２の例では、画像商材として、サイズおよびページ数の異なる５件のフォトブックが提示される。
【０１１１】
画像商材が提示されると、商材取得部３０により、提示した１以上の画像商材の中から１つの画像商材を設定する画面が、幹事ユーザの端末装置１４の画像表示部６８に表示される。
【０１１２】
幹事ユーザは、画像商材を設定する画面において、指示入力部７０を介して、提示された１以上の画像商材の中から１つの画像商材を選択して設定する。図１２の例では、A4サイズの１６ページのフォトブックが設定されている。
【０１１３】
画像商材としてフォトブックが設定された後、「次へ」のボタンが押されると、例えば、「次へ」のボタンがタップまたはクリックされると、商材取得部３０により、幹事ユーザによって設定された１つの画像商材が取得される（ステップS2）。
【０１１４】
なお、「＜」のボタンが押されると、１つ前の画面に戻ることができる。これ以後の画面においても同様である。
【０１１５】
続いて、図１３に示すように、表紙デザイン設定部３２により、フォトブックの表紙ページのデザインを設定する画面が、幹事ユーザの端末装置１４の画像表示部６８に表示される。
【０１１６】
幹事ユーザは、表紙ページのデザインを設定する画面において、指示入力部７０を介して、１以上の表紙ページのデザイン、図１３の例では、３件の表紙ページのデザインの中から、１つの表紙ページのデザインを選択して設定する。また、幹事ユーザは、フォトブックの表紙ページのデザインの情報として、例えば、表紙ページに記載される最大２０文字までのフォトブックのタイトル、および、表紙ページの色を設定することができる。
【０１１７】
表紙ページのデザインが設定された後、「次へ」のボタンが押されると、表紙デザイン設定部３２により、幹事ユーザによって設定された表紙ページのデザインの情報が、幹事ユーザの端末装置１４から取得される（ステップS3）。
【０１１８】
続いて、図１４に示すように、寄せ書きデザイン設定部３４により、フォトブックの寄せ書きページのデザインを設定する画面が、幹事ユーザの端末装置１４の画像表示部６８に表示される。
【０１１９】
幹事ユーザは、寄せ書きページのデザインを設定する画面において、指示入力部７０を介して、１以上の寄せ書きのデザイン、図１４の例では、９件の寄せ書きのデザインの中から、１つの寄せ書きのデザインを選択して設定する。
【０１２０】
寄せ書きページのデザインが設定された後、「次へ」のボタンが押されると、寄せ書きデザイン設定部３４により、幹事ユーザによって設定された寄せ書きページのデザインの情報が、幹事ユーザの端末装置１４から取得される（ステップS4）。
【０１２１】
続いて、図１５に示すように、日程設定部３６により、画像および寄せ書きメッセージの募集締切日を設定する画面が、幹事ユーザの端末装置１４の画像表示部６８に表示される。
【０１２２】
幹事ユーザは、画像および寄せ書きメッセージの募集締切日を設定する画面において、指示入力部７０を介して、画像および寄せ書きメッセージの募集締切日を設定する。図１５の例では、プルダウンメニューによって、現在の日付から一定期間内の日付の一覧があらかじめ登録されている。幹事ユーザは、プルダウンメニューに登録されている日付の一覧の中から１つの日付、例えば、１２月２日を募集締切日として選択して設定する。
【０１２３】
画像および寄せ書きメッセージの募集締切日が設定された後、「次へ」のボタンが押されると、日程設定部３６により、幹事ユーザによって設定された画像および寄せ書きメッセージの募集締切日の情報が、幹事ユーザの端末装置１４から取得される（ステップS5）。
【０１２４】
続いて、図１６に示すように、日程設定部３６により、合成画像の作成期間を設定する画面が、幹事ユーザの端末装置１４の画像表示部６８に表示される。
【０１２５】
幹事ユーザは、合成画像の作成期間を設定する画面において、指示入力部７０を介して、合成画像の作成期間を設定する。図１６の例では、プルダウンメニューによって、画像および寄せ書きメッセージの募集の期間の締切日から３０日以内の日付の一覧があらかじめ登録されている。幹事ユーザは、プルダウンメニューに登録されている日付の一覧の中から１つの日付、例えば、１２月４日を選択することによって１２月２日〜４日を作成期間として設定する。
【０１２６】
合成画像の作成期間が設定された後、「次へ」のボタンが押されると、日程設定部３６により、幹事ユーザによって設定された合成画像の作成期間の情報が、幹事ユーザの端末装置１４から取得される（ステップS5）。
【０１２７】
続いて、図１７に示すように、日程設定部３６により、画像商品の配送日を設定する画面が、幹事ユーザの端末装置１４の画像表示部６８に表示される。
【０１２８】
画像商品の配送日は、日程設定部３６により、合成画像の作成期間の締切日から一定の期間の後の日付、図１７の例では、合成画像の作成期間の最終日である１２月４日から１６日後の１２月２０日に自動で設定される。
【０１２９】
幹事ユーザは、画像商品の配送日を設定する画面において、指示入力部７０を介して、画像商品の配送日を変更することができる。図１７の例では、例えば、追加料金を支払って、特急仕上げを指定することによって、画像商品の配送日を１２月２０日よりも前の日付に設定することができる。
【０１３０】
画像商品の配送日が設定された後、「次へ」のボタンが押されると、日程設定部３６により、画像商品の配送日の情報が取得される（ステップS5）。
【０１３１】
複数のユーザの端末装置１４から送信された複数の画像を用いて合成画像を作成する場合、期限管理が難しいが、画像処理装置１０では、期限管理を行うことができるため、幹事ユーザの負担を軽減することができる。
【０１３２】
続いて、図１８に示すように、設定保存部３８により、画像商材および日程の情報を確認する画面が、幹事ユーザの端末装置１４の画像表示部６８に表示される。
【０１３３】
幹事ユーザは、画像商材および日程の情報を確認する画面において、画像商材および日程の情報を確認し、その設定でよい場合には、「保存／ログイン」のボタンを押して次の画面へ進み、設定を変更したい場合には、「＜」のボタンを押して前の画面に戻る。
【０１３４】
「保存／ログイン」のボタンが押されると、図１９に示すように、設定保存部３８により、幹事ユーザが画像処理装置１０へログインするためのアカウント情報を入力する画面が、幹事ユーザの端末装置１４の画像表示部６８に表示される。
【０１３５】
幹事ユーザは、画像処理装置１０にログインするためのアカウント情報として、指示入力部７０を介して、幹事ユーザのメールアドレスおよび幹事パスワードを入力する。幹事ユーザが既に画像処理装置１０への会員登録を済ませている場合には、「ログイン」のボタンを押す。また、会員登録後に幹事パスワードを忘れた場合には、「パスワード忘れ」のボタンを押すことによって幹事パスワードを回復するための処理を行う。
【０１３６】
「ログイン」のボタンが押されると、アカウント情報保存部４０により、既に保存されているアカウント情報と、幹事ユーザによって入力されたアカウント情報とが比較され、両者が一致した場合に、幹事ユーザは画像処理装置１０にログインすることができる。
【０１３７】
一方、まだ会員登録を済ませていない場合には、「新規会員登録」のボタンを押すことによって新規に会員登録を行うための処理を行う。「新規会員登録」のボタンが押されると、アカウント情報保存部４０により、幹事ユーザによって入力されたメールアドレスおよび幹事パスワードが取得され、幹事ユーザのアカウント情報として保存される。幹事ユーザの端末装置１４は、会員登録の完了後、画像処理装置１０へログインすることができる。
【０１３８】
続いて、設定保存部３８により、商材取得部３０によって取得された画像商材、および、日程設定部３６によって取得された日程の情報が保存される。
【０１３９】
続いて、図２０に示すように、設定保存部３８により、幹事ユーザのログインと、画像商材および日程の情報の保存とが完了したことを表す画面が、幹事ユーザの端末装置１４の画像表示部６８に表示される。
【０１４０】
続いて、管理画面情報送付部４２により、管理画面にアクセスするためのURLを含むメッセージが送付される。また、このメッセージには、画像商材および日程の情報が保存されたことを表す通知が含まれている。
【０１４１】
また、図２０の例では、幹事ユーザだけでなく、指示入力部７０を介して、幹事ユーザ以外の参加ユーザのメールアドレスを入力することによって、幹事ユーザ以外の参加ユーザ、例えば、幹事ユーザの代理を務める副幹事ユーザのメールアドレス等にも、管理画面にアクセスするためのURLを含むメッセージを送付することができる。
【０１４２】
続いて、「次へ」のボタンが押されると、図２１に示すように、アップロード催促部４４により、参加ユーザの端末装置１４へ送付する招待状を作成するための画面が、幹事ユーザの端末装置１４の画像表示部６８に表示される。
【０１４３】
幹事ユーザは、招待状を作成するための画面において、指示入力部７０を介して、招待状に含めるメッセージを一定文字以内、図２１の例では、１５０文字以内で入力する。また、図２１の例では、「みんなの写真とメッセージでフォトブックを贈ろうよ！」という初期メッセージが自動で入力されている。これにより、幹事ユーザがメッセージを入力する手間を省くことができる。幹事ユーザは、初期メッセージをそのまま使用してもよいし、他のメッセージを入力してもよい。
【０１４４】
「次へ」のボタンが押されると、アップロード催促部４４により、招待状に含めるメッセージの情報が取得され、招待状が作成される（ステップS6）。
【０１４５】
続いて、図２２に示すように、アップロード催促部４４により、招待状の内容を確認するための画面が、幹事ユーザの端末装置１４の画像表示部６８に表示される。
【０１４６】
幹事ユーザは、招待状の内容を確認するための画面において、招待状の内容を確認し、その内容でよい場合には、「招待状送付画面へ」のボタンを押して次の画面へ進み、内容を変更したい場合には、「＜」のボタンを押して前の画面に戻る。
【０１４７】
「招待状送付画面へ」のボタンが押されると、図２３に示すように、アップロード催促部４４により、招待状を参加ユーザの端末装置１４へ送付するための画面が、幹事ユーザの端末装置１４の画像表示部６８に表示される。
【０１４８】
幹事ユーザは、招待状を送付するための画面において、指示入力部７０を介して、招待状を送付する手段として、図２３の例では、SNSのメッセージまたは電子メールを選択する。招待状は、「SNS」のボタンが押された場合、SNSのメッセージとして参加ユーザのSNSのアカウントに送付され、「メール」のボタンが押された場合、電子メールによって参加ユーザのメールアドレスに送付される。
【０１４９】
幹事ユーザは、合成画像の作成に関わる全ての参加ユーザに対して招待状を送付してもよいし、一部の参加ユーザのみに対して招待状を送付してもよい。
【０１５０】
SNSのメッセージまたは電子メールには、招待状の他、合成画像で使用される画像、画像の評価情報、寄せ書きメッセージ等を参加ユーザがアップロードする画面にアクセスするための招待用URL、および、共通パスワード、図２３の例では、「５８６５」が含まれている。
【０１５１】
「次へ」のボタンが押されると、アップロード催促部４４により、招待状が参加ユーザの端末装置１４に送付される（ステップS7）。
【０１５２】
参加ユーザは、招待状を参加ユーザの端末装置１４において受け取り、指示入力部７０を介して、招待用URLで示されるウェブサイトにアクセスする。
【０１５３】
招待用URLで示されるウェブサイトにアクセスすると、図２４に示すように、アップロード催促部４４により、受け取った招待状を表す画面が、参加ユーザの端末装置１４の画像表示部６８に表示される（ステップS8）。
【０１５４】
招待状には、幹事ユーザからのメッセージの他、参加ユーザへの要望として、合成画像において使用する画像および寄せ書きメッセージをアップロードすること、および、その募集締切日等の情報、本実施形態の場合、１２月２日（水）の２３：５９が表示される。
【０１５５】
参加ユーザは、招待状を表す画面を閲覧して、幹事ユーザから参加ユーザへの要望が、フォトブックにする画像および寄せ書きメッセージのアップロードであり、その募集締切日が、１２月２日であることを理解する。
【０１５６】
続いて、「利用規約に同意する」のチェックボックスがチェックされ、「次へ」のボタンが押されると、図２５に示すように、アカウント情報保存部４０により、合成画像において使用される画像、画像の評価情報、寄せ書きメッセージ等を参加ユーザがアップロードする画面にアクセスするための共通パスワードを入力するための画面が、参加ユーザの端末装置１４の画像表示部６８に表示される。
【０１５７】
参加ユーザは、共通パスワードを入力するための画面において、指示入力部７０を介して、受け取った招待状に含まれている共通パスワード、図２５の例では、「５８６５」を入力する。
【０１５８】
共通パスワードが入力され、「次へ」のバタンが押されると、図２６に示すように、アカウント情報保存部４０により、新規な参加ユーザを登録するための画面が、参加ユーザの端末装置１４の画像表示部６８に表示される。
【０１５９】
新規な参加ユーザを登録するための画面には、既に参加ユーザとして登録済みのユーザ（現在の参加メンバー）の名前が表示される。登録済みの参加ユーザの名前を表示することは必須ではない。しかし、登録済みの参加ユーザの名前を表示することによって、ユーザが新規に参加ユーザとして登録する場合に、自分が知っている名前が登録済みの参加ユーザの名前の中にあれば、安心して登録を行うことができる。
【０１６０】
参加ユーザは、まだ参加ユーザとして画像処理装置１０に登録していない場合、「新規登録」のボタンを押し、既に参加ユーザとして登録済みの場合には、「内容修正」のボタンを押す。
【０１６１】
「新規登録」のボタンが押されると、図２７に示すように、アカウント情報保存部４０により、参加ユーザとして登録する名前および個別パスワード（図２７では「秘密のコトバ」と表示される）を登録するための画面が、参加ユーザの端末装置１４の画像表示部６８に表示される。
【０１６２】
参加ユーザは、指示入力部７０を介して、名前として本名またはニックネームを入力し、秘密のコトバとして任意の文字列を入力する。
【０１６３】
参加ユーザの名前および秘密のコトバは、参加ユーザのアカウント情報となる。参加ユーザは、図２６に示すように、新規な参加ユーザを登録するための画面において、「内容修正」のボタンを押し、既に登録済みの名前および秘密のコトバを入力することによって、既にアップロードした画像、画像の評価情報、寄せ書きメッセージ等を修正することができる。
【０１６４】
参加ユーザの名前および秘密のコトバが入力され、「次へ」のボタンが押されると、アカウント情報保存部４０により、その参加ユーザの名前および秘密のコトバが取得され、参加ユーザのアカウント情報として保存される。
【０１６５】
続いて、図２８に示すように、画像取得部４６により、参加ユーザがアップロードする画像を選択するための画面が、参加ユーザの端末装置１４の画像表示部６８に表示される。
【０１６６】
参加ユーザは、アップロードする画像を選択するための画面において、「画像追加」のボタンを押すことによって、アップロードする画像を選択することができる。アップロードする画像を選択するための画面には、参加ユーザによって選択された画像の枚数が表示される。
【０１６７】
アップロードする画像が選択された後、「次へ」のボタンが押されると、画像取得部４６により、参加ユーザからアップロードされた画像、つまり、参加ユーザの端末装置１４から投稿された画像が取得される（ステップS9）。このように、画像取得部４６は、２以上の参加ユーザの端末装置１４から送信された複数の画像を取得する。また、画像取得部４６によって画像が取得される毎に、画像解析部５８により画像の解析が行われ、評価値算出部６０により、画像の解析結果に基づいて画像の解析評価値が算出される（ステップS10）。
【０１６８】
続いて、図２９に示すように、評価情報取得部４８により、２以上の参加ユーザの端末装置１４から送信された複数の画像の各々を評価するための画面が、参加ユーザの端末装置１４の画像表示部６８に表示される。
【０１６９】
参加ユーザは、各々の画像を評価するための画面において、指示入力部７０を介して、各々の画像に対して高評価または低評価を表す評価情報を付与することができる。例えば、参加ユーザは、各々の画像を閲覧し、自分が好きな画像に対して、「いいね」のボタンを押すことによって高評価を表す評価情報を付与し、嫌いな画像に対して、「いまいち」のボタンを押すことによって低評価を表す評価情報を付与することができる。
【０１７０】
各々の参加ユーザの端末装置１４から各々の画像に対して高評価および低評価を表す評価情報が付与されると、評価情報取得部４８により、各々の画像に対して付与された高評価および低評価を表す評価情報が、参加ユーザの端末装置１４から取得される（ステップS11）。
【０１７１】
評価情報が付与された後、「次へ」のボタンが押されると、図３０に示すように、メッセージ取得部５０により、寄せ書きページがフォトブックの巻末に入ることを通知する画面が、参加ユーザの端末装置１４の画像表示部６８に表示される。
【０１７２】
参加ユーザは、寄せ書きページがフォトブックの巻末に入ることを通知する画面を閲覧して確認する。
【０１７３】
続いて、「次へ」のボタンが押されると、図３１に示すように、メッセージ取得部５０により、寄せ書きページにおいて使用する参加ユーザのプロフィール画像を設定するための画面が、参加ユーザの端末装置１４の画像表示部６８に表示される。
【０１７４】
参加ユーザは、プロフィール画像を設定するための画面を押すことによって、参加ユーザが参加ユーザの端末装置１４において所有する画像の中からプロフィール画像として使用する画像を選択して設定することができる。また、参加ユーザは、「削除」のボタンを押すことによって、既に設定したプロフィール画像を削除し、再度、プロフィール画像を設定し直すことができる。
【０１７５】
参加ユーザがプロフィール画像を設定した後、「次へ」のボタンが押されると、画像取得部４６により、参加ユーザによって設定されたプロフィール画像が、参加ユーザの端末装置１４から取得される（ステップS12）。
【０１７６】
続いて、図３２に示すように、メッセージ取得部５０により、寄せ書きメッセージを入力するための画面が、参加ユーザの端末装置１４の画像表示部６８に表示される。
【０１７７】
参加ユーザは、寄せ書きメッセージを入力するための画面において、指示入力部７０を介して、寄せ書きページに含めるメッセージを１５０文字以内で入力する。図３２の例では、「結婚おめでとう。  …  幸せになってください。」という初期メッセージが自動で入力されている。これにより、参加ユーザがメッセージを入力する手間を省くことができる。参加ユーザは、初期メッセージをそのまま使用してもよいし、他のメッセージを入力してもよい。
【０１７８】
また、参加ユーザは、寄せ書きメッセージを入力するための画面において、「他の人の寄せ書きを見る」のボタンを押すことによって、他の参加ユーザが既にアップロードした寄せ書きメッセージを閲覧することができる。
【０１７９】
参加ユーザが寄せ書きメッセージを入力した後、「入力完了」のボタンが押されると、図３３に示すように、メッセージ取得部５０により、参加ユーザが入力した寄せ書きメッセージを確認するための画面が、参加ユーザの端末装置１４の画像表示部６８に表示される。
【０１８０】
参加ユーザは、寄せ書きメッセージを確認する画面において、寄せ書きメッセージを閲覧して確認し、そのメッセージでよい場合には、「投稿する」のボタンを押して次の画面へ進み、メッセージを変更したい場合には、「＜」のボタンを押して前の画面に戻る。
【０１８１】
「投稿する」のボタンが押されると、メッセージ取得部５０により、参加ユーザから投稿された寄せ書きメッセージ、つまり、参加ユーザの端末装置１４からアップロードされた寄せ書きメッセージが取得される（ステップS13）。
【０１８２】
このように、複数のユーザの画像を用いてフォトブック等の合成画像を作成する場合に、フォトブックの本編ページだけでなく、寄せ書きページを含めることによって、フォトブックの受取人に対する各々の参加ユーザの気持ちを寄せ書きメッセージとして伝えることができる。
【０１８３】
続いて、図３４に示すように、寄せ書きメッセージの投稿が完了したことを表す画面が、参加ユーザの端末装置１４の画像表示部６８に表示される。
【０１８４】
続いて、「完了」のボタンが押されると、画像、画像の評価情報および寄せ書きメッセージのアップロードは完了する。
【０１８５】
続いて、日程設定部３６により、画像および寄せ書きメッセージの募集締切日を過ぎたことが検出されると、画像数算出部５２により、画像取得部４６によって取得された画像の数が算出される（ステップS14）。また、評価数算出部５４により、評価情報取得部４８によって取得された高評価および低評価を表す評価情報の数が算出され（ステップS15）、メッセージ数算出部５６により、メッセージ取得部５０によって取得された寄せ書きメッセージの数が算出される（ステップS16）。
【０１８６】
続いて、評価値算出部６０により、各々の画像に対する高評価および低評価を表す評価情報、例えば、評価情報の数に基づいて、各々の画像の解析評価値に対して値が加減算されて、各々の画像の総合評価値が算出される（ステップS17）。
【０１８７】
前述のように、画像が取得される毎に、画像を解析して、その解析評価値を算出することは必須ではない。しかし、画像が取得される毎に、画像を解析して、その解析評価値を算出しておくことにより、全ての画像を取得した後に画像をまとめて解析して解析評価値を算出する場合と比べて、画像の総合評価値を短時間で算出することができ、その結果、合成画像の作成にかかる時間を短縮することができる。
【０１８８】
続いて、親密度算出部７２により、各々の画像の解析結果に基づいて、複数の画像に写っている人物同士の親密度が算出される（ステップS18）。
【０１８９】
例えば、画像数算出部５２により、各々の画像の解析結果に基づいて、第２の人物と第３の人物とが共に写っている画像の数を算出した場合に、第２の人物と第３の人物が共に写っている画像の数が多いほど、両者の親密度は高いと考えることができる。従って、親密度算出部７２は、第２の人物と第３の人物とが共に写っている画像の数が多いほど、第２の人物と第３の人物との親密度を高くしてもよい。
【０１９０】
また、距離算出部７４により、各々の画像の解析結果に基づいて、第２の人物と第３の人物が共に写っている画像から、第２の人物と第３の人物との間の距離を算出した場合に、第２の人物と第３の人物との間の距離が近いほど、両者の親密度は高いと考えることができる。従って、親密度算出部７２は、第２の人物と第３の人物との間の距離が近いほど、第２の人物と第３の人物との親密度を高くしてもよい。
【０１９１】
第２の人物と第３の人物との間の距離は、次の（１）〜（４）に示す距離の測定法のうちのいずれとしてもよい。
（１）各々の人物が占める領域を特定し、それらを結ぶ最短距離
（２）各々の人物の顔が占める領域を特定し、それらを結ぶ最短距離
（３）各々の人物が占める領域の重心点を特定し、それらを結ぶ最短距離
（４）各々の人物の顔が占める領域の重心点を特定し、それらを結ぶ最短距離
また、距離は、次の（１）〜（３）に示す距離のうちのいずれを用いてもよい。
（１）画像におけるピクセル数
（２）画像における画像の短辺または長辺との比率
（３）人物の顔の大きさから推定した、実際の距離
【０１９２】
また、画像数算出部５２により、各々の画像の解析結果に基づいて、第３の人物によって撮影され、かつ、第２の人物が写っている画像の数を算出した場合、第３の人物が第２の人物を撮影した画像の数が多いほど、両者の親密度は高いと考えることができる。従って、親密度算出部７２は、第３の人物によって撮影され、かつ、第２の人物が写っている画像の数が多いほど、第２の人物と第３の人物との親密度を高くしてもよい。
【０１９３】
なお、第２の人物が写っている画像を撮影した第３の人物を特定する方法は特に限定されない。例えば、第３の人物の情報を複数の参加ユーザから取得してもよい。あるいは、第３の人物に対応するユーザの端末装置１４から第２の人物が写っている画像が画像取得部４６によって取得された場合に、第２の人物が写っている画像が、第３の人物によって撮影された画像であると判断することもできる。
【０１９４】
また、親密度算出部７２は、各々の画像の解析結果、および、複数のユーザの顔画像、例えば、プロフィール画像に基づいて、複数の画像に写っている人物のうち、参加ユーザ同士の親密度を算出してもよい。この場合、複数の画像に写っている人物のうち、参加ユーザと無関係な人物を除いて、参加ユーザ同士の親密度のみを算出することができるため、処理時間を短縮することができる。
【０１９５】
また、メッセージ解析部７８により、寄せ書きメッセージの内容を解析し、その解析結果に基づいて、複数の参加ユーザのうちの第１参加ユーザが第２の参加ユーザのことを寄せ書きメッセージにおいて言及した場合、両者の親密度は、第１参加ユーザが第２参加ユーザのことを言及しなかった場合よりも高いと考えることができる。従って、親密度算出部７２は、第１参加ユーザが第２の参加ユーザのことを言及した場合、第１参加ユーザが第２の参加ユーザのことを言及しなかった場合よりも、第１参加ユーザと第２の参加ユーザとの親密度を一定値だけ高くしてもよい。
【０１９６】
さらに、親密度算出部７２は、親密度評価に当たって、上記の第２の人物と第３の人物とが共に写っている画像の数、第２の人物と第３の人物との間の距離、第３の人物によって撮影され、かつ、第２の人物が写っている画像の数、各々の画像の解析結果、および、複数のユーザの顔画像に基づく参加ユーザ同士の親密度の算出、第１参加ユーザが第２参加ユーザのことを言及した場合の第１参加ユーザと第２参加ユーザとの親密度の算出等の観点を組合せて評価してもよい。
【０１９７】
続いて、幹事ユーザは、幹事ユーザの端末装置１４において、指示入力部７０を介して、合成画像作成部２６に対して合成画像の作成を指示する。
【０１９８】
合成画像作成部２６に対して合成画像の作成が指示されると、表紙作成部６２により、表紙ページのデザインの情報に対応するデザインであり、幹事ユーザによって設定されたタイトルが記載され、幹事ユーザによって設定された色の表紙ページが作成される（ステップS19）。
【０１９９】
続いて、本編作成部６４により、画像取得部４６によって取得された複数の画像のうちの少なくとも１つの画像を用いて、フォトブックの本編ページが作成される（ステップS20）。
【０２００】
本編作成部６４では、画像分割部８０により、画像取得部４６によって取得された複数の画像が、本編ページのページ数に対応する複数のグループに分割される。
【０２０１】
続いて、画像抽出部８２により、画像のグループ毎に、画像の総合評価値に基づいて、例えば、総合評価値が最も高い画像から順に、グループに含まれる画像の中から、本編ページにおいて使用する複数の合成対象画像が抽出される。
【０２０２】
続いて、画像配置部８４により、画像のグループ毎に、画像の総合評価値に基づいて、各々の合成対象画像のサイズおよび本編ページにおける配置位置が決定され、合成対象画像が、各々対応する本編ページに配置される。例えば、本編ページに配置される複数の合成対象画像のうち、総合評価値が最も高い合成対象画像が、他の合成対象画像よりも大きいサイズで、そのページの中央位置に配置される。
【０２０３】
また、親密度算出部７２によって算出された複数の画像に写っている人物同士の親密度に基づいて、本編ページにおける各々の画像の配置位置を決定してもよい。
【０２０４】
例えば、画像配置部８４により、複数の画像のうち、第２の人物が写っている第２の画像が、本編ページにおける画像の配置領域の第１の位置に配置された場合に、人物特定部８６により、各々の画像の解析結果、および、複数の画像に写っている人物同士の親密度に基づいて、複数の画像に写っている人物の中から、第２の人物との親密度が閾値を超える第３の人物、つまり、第２の人物と親しい第３の人物を特定し、さらに、画像特定部８８により、各々の画像の解析結果に基づいて、複数の画像の中から、第３の人物が写っている第３の画像を特定し、画像配置部８４により、第３の画像を、配置領域の第１の位置に隣接する第２の位置に配置してもよい。
【０２０５】
ここで、第３の画像を、第１の位置に隣接する第２の位置に配置するとは、第１の位置に配置された第２の画像と第２の位置に配置された第３の画像との間に他の画像を配置しない場合、例えば、第２の画像と第３の画像とを隣り合わせに接して配置する場合、および、第２の画像と第３の画像とを部分的に重畳して配置する場合等の他、第２の画像と第３の画像とを隣接して配置した後に、第２の画像と第３の画像との間に他の画像を配置する場合等を含む。
【０２０６】
複数の画像に写っている人物同士の親密度を考慮せずに画像を配置すると、親しくない人物同士の各々が写っている画像が隣り合わせに配置される場合がある。これに対し、人物同士の親密度に基づいて画像の配置位置を決定することにより、親しい人物同士の各々が写っている画像を隣り合わせに配置することができる。つまり、人物同士の現実の人間関係を反映したレイアウトの合成画像を作成することができる。
【０２０７】
また、親密度算出部７２により、複数の画像に写っている人物のうち、第１の人物とそれ以外の全ての人物との親密度の和または平均値を第１の人物の総合親密度として算出し、かつ、第１の人物以外の全ての人物の各々の総合親密度を算出し、画像特定部８８により、複数の画像の中から、総合親密度が最も高い人物が写っている第１の画像を特定し、画像配置部８４により、総合親密度が最も高い人物が写っている第１の画像を、配置領域の中心の位置に配置してもよい。
【０２０８】
「第１の画像を配置領域の中心の位置に配置する」とは、第１の画像以外の画像の中心よりも、第１の画像の中心が、配置領域の中心と近い距離にあることをいう。
【０２０９】
総合親密度が最も高い人物は、複数の画像に写っている人物のうちの中心的な人物であると考えられる。従って、総合親密度が最も高い人物が写っている画像を、配置領域の中心の位置に配置することにより、総合親密度が最も高い人物が写っている画像の周囲に、総合親密度が最も高い人物との間の親密度が高い多数の人物の各々が写っている画像を配置することができ、人物同士の現実の人間関係を反映したレイアウトの合成画像を作成することができる。
【０２１０】
また、総合親密度が最も高い人物が写っている画像を、配置領域の中心の位置に配置した場合に、画像特定部８８により、総合親密度が最も高い人物を１番目に総合親密度が高い人物として、複数の画像の中から、２番目以降に総合親密度が高い人物が写っている画像を特定し、画像配置部８４により、２番目以降に総合親密度が高い人物が写っている画像を、総合親密度がより高い人物が写っている画像であるほど、配置領域の中心の位置により近い位置に配置してもよい。
【０２１１】
これにより、複数の画像に写っている人物のうちの総合親密度が高い人物、つまり、より多くの人物と親しい人物が写っている画像であるほど、総合親密度が最も高い人物、つまり、中心的な人物が写っている画像の近くに配置することができる。
【０２１２】
また、総合親密度が最も高い人物が写っている画像を、配置領域の中心の位置に配置した場合に、２番目に総合親密度が高い人物が写っている画像を、配置領域の中心と端辺との中間の領域に配置してもよい。
また、３番目以降に総合親密度が高い人物が写っている画像も同様に配置する。つまり、iを１以上の整数として、１＋２i番目から２i人の総合親密度が高い人物が写っている画像を、それぞれ、配置領域の中心および端辺と２番目から２i番目の総合親密度が高い人物が写っている画像の配置領域との中間のいずれかの領域に配置する。
【０２１３】
例えば、図３７に示すように、座標（X1, Y1）〜座標（X17, Y17）からなる配置領域において、総合親密度が最も高い人物が写っている画像（１）を、配置領域の中心の座標（X9, Y9）の位置に配置した場合を例に挙げて説明する。
【０２１４】
この場合、２番目に総合親密度が高い人物が写っている画像（２）を、配置領域の中心と端辺との中間の座標（X5, Y5）〜座標（X13, Y5）、座標（X5, Y13）〜座標（X13, Y13）、座標（X5, Y5）〜座標（X5, Y13）および座標（X13, Y5）〜座標（X13, Y13）からなる領域に配置する。
【０２１５】
また、３番目に総合親密度が高い人物が写っている画像（３）を、配置領域の中心と、２番目に総合親密度が高い人物が写っている画像（２）の配置領域との中間の座標（X7, Y7）〜座標（X11, Y7）、座標（X7, Y11）〜座標（X11, Y11）、座標（X7, Y7）〜座標（X7, Y11）および座標（X11, Y7）〜座標（X11, Y11）からなる領域に配置する。
また、４番目に総合親密度が高い人物が写っている画像（４）を、２番目に総合親密度が高い人物が写っている画像（２）の配置領域と、配置領域の端辺との中間の座標（X3, Y3）〜座標（X15, Y3）、座標（X3, Y15）〜座標（X15, Y15）、座標（X3, Y3）〜座標（X3, Y15）および座標（X15, Y3）〜座標（X15, Y15）からなる領域に配置する。
【０２１６】
また、５番目に総合親密度が高い人物が写っている画像（５）を、４番目に総合親密度が高い人物が写っている画像（４）の配置領域と、配置領域の端辺との中間の座標（X2, Y2）〜座標（X16, Y2）、座標（X2, Y16）〜座標（X16, Y16）、座標（X2, Y2）〜座標（X2, Y16）および座標（X16, Y2）〜座標（X16, Y16）からなる領域に配置する。
また、６番目に総合親密度が高い人物が写っている画像（６）を、２番目に総合親密度が高い人物が写っている画像（２）の配置領域と、４番目に総合親密度が高い人物が写っている画像（４）の配置領域との中間の座標（X4, Y4）〜座標（X14, Y4）、座標（X4, Y14）〜座標（X14, Y14）、座標（X4, Y4）〜座標（X4, Y14）および座標（X14, Y4）〜座標（X14, Y14）からなる領域に配置する。
また、７番目に総合親密度が高い人物が写っている画像（７）を、２番目に総合親密度が高い人物が写っている画像（２）の配置領域と、３番目に総合親密度が高い人物が写っている画像（３）の配置領域との中間の座標（X6, Y6）〜座標（X12, Y6）、座標（X6, Y12）〜座標（X12, Y12）、座標（X6, Y6）〜座標（X6, Y12）および座標（X12, Y6）〜座標（X12, Y12）からなる領域に配置する。
また、８番目に総合親密度が高い人物が写っている画像（８）を、３番目に総合親密度が高い人物が写っている画像（３）の配置領域と、配置領域の中心との中間の座標（X8, Y8）〜座標（X10, Y8）、座標（X8, Y10）〜座標（X10, Y10）、座標（X8, Y8）〜座標（X8, Y10）および座標（X10, Y8）〜座標（X10, Y10）からなる領域に配置する。
【０２１７】
なお、画像（３）および（４）の配置領域を入れ替えてもよい。同様に、画像（５）〜（８）の配置領域を入れ替えてもよい。９番目以降に総合親密度が高い人物が写っている画像についても同様にして配置する。
また、画像（２）は、配置領域の中心と端辺との中間の領域のどの位置に配置してもよい。例えば、画像（２）が複数枚ある場合、複数枚の画像（２）を、配置領域の中心と端辺との中間の領域の１箇所の位置にまとめて配置してもよいし、あるいは、複数枚の画像（２）の各々を、配置領域の中心と端辺との中間の領域のうちのそれぞれ異なる位置に配置してもよい。３番目以降に総合親密度が高い人物が写っている画像についても同様である。
【０２１８】
画像をまとめて配置するとは、対象の画像が占める領域の中に、対象でない画像が入らないことをいう。また、対象の画像が占める領域は、対象の画像を、対象の画像の外縁、x軸およびy軸に平行な線分で囲んだ際に、囲まれた面積が最小になるような領域をいう。
【０２１９】
また、総合親密度が最も高い人物が写っている画像を、配置領域の中心の位置に配置した場合に、２番目および３番目に総合親密度が高い人物が写っている画像を、配置領域の中心の位置を中心として、配置領域の中心と端辺との中間の領域において互いに対向する配列方向の位置にまとめて配置してもよい。
また、４番目以降に総合親密度が高い人物が写っている画像も同様に配置する。つまり、kを２以上の整数として、２k番目から２k人の総合親密度が高い人物が写っている画像を、２k人のうちの２人の総合親密度が高い人物毎に、配置領域の中心の位置を中心として、配置領域の中心および端辺と２番目から２k−１番目に総合親密度が高い人物が写っている画像の配置領域との中間のいずれかの領域において、２番目から２番目から２k−１番目までの総合親密度が高い人物が写っている画像の配列方向とは異なり、互いに対向する配列方向の位置にまとめて配置し、かつ、２k番目から２k人の総合親密度が高い人物が写っている画像を一方向に配置する。
【０２２０】
例えば、図３８に示すように、座標（X1, Y1）〜座標（X17, Y17）からなる配置領域において、総合親密度が最も高い人物が写っている画像（１）を、配置領域の中心の座標（X9, Y9）の位置に配置した場合を例に挙げて説明する。
【０２２１】
この場合、２番目に総合親密度が高い人物が写っている画像（２）および（３）を、それぞれ、配置領域の中心と端辺との中間の領域の座標（X5, Y5）および座標（X13, Y13）の位置に配置する。
【０２２２】
また、４番目に総合親密度が高い人物が写っている画像（４）および（７）を、それぞれ、配置領域の端辺と、２番目および３番目に総合親密度が高い人物が写っている画像（２）および（３）の配置領域との中間の領域の座標（X3, Y15）および座標（X15, Y3）の位置に配置する。
また、５番目に総合親密度が高い人物が写っている画像（５）および（６）を、それぞれ、配置領域の中心と、２番目および３番目に総合親密度が高い人物が写っている画像（２）および（３）の配置領域との中間の領域の座標（X7, Y11）および座標（X11, Y7）の位置に配置する。
【０２２３】
なお、画像（３）および（４）の配置位置を入れ替えてもよい。同様に、画像（４）〜（７）の配置位置を入れ替えてもよい。８番目以降に総合親密度が高い人物が写っている画像についても同様にして配置する。
また、画像（２）および（３）は、配置領域の中心の位置を中心として、画像（２）および（３）の配置領域において互いに対向する配列方向の位置であれば、どの位置に配置してもよい。例えば、画像（２）および（３）の配置位置を入れ替えてもよいし、画像（２）を座標（X5, Y13）の位置に配置し、画像（３）を座標（X13, Y5）の位置に配置してもよい。４番目以降に総合親密度が高い人物が写っている画像についても同様である。
【０２２４】
このように、総合親密度が高い人物が写っている画像同士を一定の間隔だけ離して配置することにより、総合親密度が高い人物が写っている画像を、配置領域において平均的に配置することができ、メリハリのある合成画像を作成することができる。
【０２２５】
また、画像解析部５８により、各々の画像の付帯情報から、各々の画像の撮影日時および撮影場所の情報を取得し、画像分割部８０により、各々の画像の撮影日時または撮影場所の情報に基づいて、複数の画像を複数のグループに分割し、親密度算出部７２により、グループ毎に、グループに含まれる画像に写っている人物同士の親密度を算出し、グループ毎に画像の配置位置を決定してもよい。
【０２２６】
例えば、画像配置部８４により、グループ毎に、グループに含まれる画像のうち、第２の人物が写っている第２の画像が、グループに対応する配置領域の第１の位置に配置された場合に、人物特定部８６により、グループに含まれる各々の画像の解析結果、および、グループに含まれる画像に写っている人物同士の親密度に基づいて、グループに含まれる画像に写っている人物の中から、第２の人物との親密度が閾値を超える第３の人物を特定し、画像特定部８８により、グループ毎に、グループに含まれる各々の画像の解析結果に基づいて、グループに含まれる画像の中から、第３の人物が写っている第３の画像を特定し、画像配置部８４により、グループ毎に、第３の画像を、グループに対応する合成画像の本編ページにおける画像の配置領域の第１の位置に隣接する第２の位置に配置してもよい。
【０２２７】
このように、画像取得部４６によって取得された複数の画像を複数のグループに分割した場合、グループ毎に、グループに含まれる画像に写っている人物同士の親密度に基づいて、グループに含まれる各々の画像の配置位置を決定することができる。
【０２２８】
また、中心人物判定部７６により、各々の画像の解析結果に基づいて、各々の画像に写っている人物の中の中心人物を判定し、画像分割部８０により、画像取得部４６によって取得された複数の画像を、各々中心人物を含み、かつ、中心人物の数と同じ数のグループに分割し、画像特定部８８により、複数の画像の中から、中心人物が写っている画像を特定し、画像配置部８４により、各々の中心人物が写っている画像を、各々のグループに対応する合成画像の本編ページにおける画像の配置領域の中心の位置に配置してもよい。
【０２２９】
このように、各々の画像の中心人物を判定し、各々の中心人物が写っている画像を、各々対応する本編ページにおける画像の配置領域の中心の位置に配置することにより、複数の本編ページからなる合成画像において、複数の画像に写っている各々の人物を、各々対応する本編ページにおける主人公とすることができ、複数の画像に写っている人物の間において公平感のある合成画像を作成することができる。
【０２３０】
また、各々の中心人物が写っている画像を、合成画像の各々の本編ページに配置した場合に、親密度算出部７２により、中心人物のうち、第１の中心人物とそれ以外の全ての中心人物との親密度の和または平均値を第１の中心人物の総合親密度として算出し、かつ、第１の中心人物以外の全ての中心人物の各々の総合親密度を算出し、画像配置部８４により、総合親密度が最も高い中心人物が写っている画像が配置された本編ページを、合成画像の全ての本編ページのうちの中央の本編ページの位置に配置してもよい。
【０２３１】
このように、総合親密度が最も高い人物が写っている画像が配置された本編ページを、合成画像の中央の本編ページの位置に配置することにより、画像の配置位置を決定する場合と同様に、人間関係を反映して本編ページを配置したレイアウトの合成画像を作成することができる。
【０２３２】
また、総合親密度が最も高い人物が写っている画像が配置された本編ページを、合成画像の中央の本編ページの位置に配置した場合に、２番目および３番目に総合親密度が高い中心人物が写っている画像が配置された本編ページを、それぞれ、中央の本編ページと合成画像の全ての本編ページのうちの最初の本編ページおよび最後の本編ページとの中間のいずれかの位置に配置してもよい。
また、３番目以降に総合親密度が高い中心人物が写っている画像が配置された本編ページも同様に配置する。つまり、jを２以上の整数として、２j番目から２j人の総合親密度が高い中心人物が写っている画像が配置された本編ページを、それぞれ、中央の本編ページ、最初の本編ページおよび最後の本編ページと２番目から２j−１番目に総合親密度が高い中心人物が写っている画像が配置された本編ページの配置位置との中間のいずれかの位置に配置する。
【０２３３】
例えば、図３９に示すように、１６ページの見開きページからなる合成画像において、総合親密度が最も高い人物が写っている画像が配置された本編ページ（１）を、合成画像の中央の本編ページの位置である見開きページの９ページ目に配置した場合を例に挙げて説明する。
【０２３４】
この場合、２番目に総合親密度が高い中心人物が写っている画像が配置された本編ページ（２）を、最初の本編ページの位置である見開きページの１ページ目と、中央の本編ページの位置である見開きページの９ページ目との中間の位置である見開きページの５ページ目に配置する。
また、３番目に総合親密度が高い中心人物が写っている画像が配置された本編ページ（３）を、中央の本編ページの位置である見開きページの９ページ目と、最後の本編ページの位置である見開きページの１６ページ目との中間の位置である見開きページの１３ページ目に配置する。
【０２３５】
また、４番目に総合親密度が高い中心人物が写っている画像が配置された本編ページ（４）を、最初の本編ページの位置である見開きページの１ページ目と、２番目に総合親密度が高い中心人物が写っている画像が配置された本編ページ（２）の配置位置である見開きページの５ページ目との中間の位置である見開きページの３ページ目に配置する。
また、５番目に総合親密度が高い中心人物が写っている画像が配置された本編ページ（５）を、２番目に総合親密度が高い中心人物が写っている画像が配置された本編ページ（２）の配置位置である見開きページの５ページ目と、中央の本編ページの位置である見開きページの９ページ目との中間の位置である見開きページの７ページ目に配置する。
また、６番目に総合親密度が高い中心人物が写っている画像が配置された本編ページ（６）を、中央の本編ページの位置である見開きページの９ページ目と、３番目に総合親密度が高い中心人物が写っている画像が配置された本編ページ（３）の配置位置である見開きページの１３ページ目との間の位置である見開きページの１１ページ目に配置する。
また、７番目に総合親密度が高い中心人物が写っている画像が配置された本編ページ（７）を、３番目に総合親密度が高い中心人物が写っている画像が配置された本編ページ（３）の配置位置である見開きページの１３ページ目と、最後の本編ページの位置である見開きページの１６ページ目との間の位置である見開きページの１５ページ目に配置する。
【０２３６】
なお、本編ページ（２）および（３）の配置位置を入れ替えてもよい。同様に、本編ページ（４）、（５）、（６）および（７）の配置位置を入れ替えてもよい。８番目以降に総合親密度が高い人物が写っている画像が配置された本編ページについても同様にして配置する。
【０２３７】
このように、総合親密度が高い中心人物が写っている画像が配置された本編ページ同士を一定のページ数だけ離して配置することにより、画像の配置位置を決定する場合と同様に、総合親密度が高い中心人物が写っている画像が配置された本編ページを、合成画像の本編ページ内において平均的に配置することができ、メリハリのある合成画像を作成することができる。
【０２３８】
また、画像の総合評価値と、人物同士の親密度または総合親密度とを組み合わせて、各々の画像および各々の本編ページの配置位置を決定してもよい。
【０２３９】
上記のように、画像処理装置１０では、人物同士の親密度に基づいて画像の配置位置を決定することにより、人物同士の現実の人間関係を反映したレイアウトの合成画像を作成することができる。
【０２４０】
続いて、寄せ書き作成部６６により、参加ユーザのプロフィール画像および寄せ書きメッセージを用いて、寄せ書きページのデザインの情報に対応するデザインの寄せ書きページが作成される（ステップS21）。
【０２４１】
寄せ書き作成部６６では、メッセージ分割部９０により、メッセージ取得部５０によって取得された寄せ書きメッセージが、寄せ書きページのページ数に対応する数のグループに分割される。
【０２４２】
続いて、メッセージ配置部９２により、寄せ書きメッセージのグループ毎に、例えば、グループに含まれる寄せ書きメッセージと対応する参加ユーザのプロフィール画像とが組み合わされて、寄せ書きメッセージのグループに対応するページの寄せ書きページに配置されて寄せ書きページが作成される。各々の寄せ書きページにおいて、寄せ書きメッセージは、例えば、寄せ書きメッセージがアップロードされた順序で順次配置される。
【０２４３】
上記のように、表紙作成部６２、本編作成部６４および寄せ書き作成部６６によって、２以上の参加ユーザの端末装置１４から取得された複数の画像、参加ユーザのプロフィール画像および寄せ書きメッセージを用いて、それぞれ、表紙ページのデザインの情報に対応する表紙ページ、本編ページ、および、寄せ書きページのデザインの情報に対応する寄せ書きページを含むフォトブックが自動で作成される。
【０２４４】
画像処理装置１０では、本編ページだけでなく、寄せ書きページを含むフォトブック等の合成画像を作成することができる。また、画像の総合評価値に基づいて、本編ページにおいて使用する画像の他、各々の画像のサイズおよび本編ページにおける配置位置等を決定することによって、画像の良し悪しだけでなく、複数の参加ユーザの好みを反映した合成画像を作成することができる。
【０２４５】
幹事ユーザは、幹事ユーザの端末装置１４において、自動で作成された表紙ページ、本編ページおよび寄せ書きページからなるフォトブックの各ページを閲覧する。幹事ユーザは、自動で作成されたフォトブックをそのまま採用してもよいし、各ページの内容、例えば、各ページにおいて使用する画像、画像のサイズ、画像および寄せ書きメッセージの配置位置等を編集してもよい。また、コメントの追加、スタンプ画像の追加、各ページの背景の種類および色の変更等を行うことができる。
【０２４６】
幹事ユーザは、日程設定部３６によって設定された合成画像の作成期間内、本実施形態の場合、１２月４日までにフォトブックの作成を完了し、作成を完了したフォトブックの内容で画像商品を注文する（ステップS22）。幹事ユーザが注文する画像商品には、紙媒体のフォトブックおよび電子データのフォトブックの少なくとも一方が含まれる。
【０２４７】
画像商品が注文されると、注文された画像商品のフォトブックが作成され、日程設定部３６によって設定された画像商品の配送日、本実施形態の場合、１２月２０日までに配送先へ送付される（ステップS23）。紙媒体のフォトブックの場合には、例えば、紙媒体のフォトブックが配送先へ送付され、電子データのフォトブックの場合には、例えば、電子データのフォトブック、あるいは電子データをダウンロードするためのURL等が配送先のメールアドレスへ送付される。
【０２４８】
以上のように、画像処理装置１０では、複数の参加ユーザの端末装置１４から取得された複数の画像および寄せ書きメッセージを用いて、寄せ書きページを含むフォトブック等の合成画像を作成することができる。
【０２４９】
なお、幹事ユーザだけが合成画像を作成することは必須ではなく、合成画像の作成に関わる複数のユーザが共同で合成画像を作成してもよいし、複数のユーザのうちの少なくとも一人のユーザが合成画像を作成してもよい。
【０２５０】
画像処理装置１０を構成する各部位の具体的な構成は特に限定されず、同様の機能を果たすことができる各種構成のものを利用することができる。
また、上記実施形態では、サーバ１２が情報設定部１８、情報管理部２０、データ取得部２２、データ解析部２４および合成画像作成部２６を備えているが、これらのうちの少なくとも１つをユーザの端末装置１４が備えていてもよい。
【０２５１】
本発明の装置は、装置が備える各々の構成要素を専用のハードウェアで構成してもよいし、各々の構成要素をプログラムされたコンピュータで構成してもよい。
本発明の方法は、例えば、その各々のステップをコンピュータに実行させるためのプログラムにより実施することができる。また、このプログラムが記録されたコンピュータ読み取り可能な記録媒体を提供することもできる。
【０２５２】
以上、本発明について詳細に説明したが、本発明は上記実施形態に限定されず、本発明の主旨を逸脱しない範囲において、種々の改良や変更をしてもよいのはもちろんである。
【符号の説明】
【０２５３】
１０  画像処理装置
１２  サーバ
１４  端末装置（クライアント）
１６  ネットワーク
１８  情報設定部
２０  情報管理部
２２  データ取得部
２４  データ解析部
２６  合成画像作成部
２８  予算設定部
３０  商材取得部
３２  表紙デザイン設定部
３４  寄せ書きデザイン設定部
３６  日程設定部
３８  設定保存部
４０  アカウント情報保存部
４２  管理画面情報送付部
４４  アップロード催促部
４６  画像取得部
４８  評価情報取得部
５０  メッセージ取得部
５２  画像数算出部
５４  評価数算出部
５６  メッセージ数算出部
５８  画像解析部
６０  評価値算出部
６２  表紙作成部
６４  本編作成部
６６  寄せ書き作成部
６８  画像表示部
７０  指示入力部
７２  親密度算出部
７４  距離算出部
７６  中心人物判定部
７８  メッセージ解析部
８０  画像分割部
８２  画像抽出部
８４  画像配置部
８６  人物特定部
８８  画像特定部
９０  メッセージ分割部
９２  メッセージ配置部
【図１】
0006502280.tif 000002
【図２】
0006502280.tif 000003
【図３】
0006502280.tif 000004
【図４】
0006502280.tif 000005
【図５】
0006502280.tif 000006
【図６】
0006502280.tif 000007
【図７】
0006502280.tif 000008
【図８】
0006502280.tif 000009
【図９】
0006502280.tif 000010
【図１０】
0006502280.tif 000011
【図１１】
0006502280.tif 000012
【図１２】
0006502280.tif 000013
【図１３】
0006502280.tif 000014
【図１４】
0006502280.tif 000015
【図１５】
0006502280.tif 000016
【図１６】
0006502280.tif 000017
【図１７】
0006502280.tif 000018
【図１８】
0006502280.tif 000019
【図１９】
0006502280.tif 000020
【図２０】
0006502280.tif 000021
【図２１】
0006502280.tif 000022
【図２２】
0006502280.tif 000023
【図２３】
0006502280.tif 000024
【図２４】
0006502280.tif 000025
【図２５】
0006502280.tif 000026
【図２６】
0006502280.tif 000027
【図２７】
0006502280.tif 000028
【図２８】
0006502280.tif 000029
【図２９】
0006502280.tif 000030
【図３０】
0006502280.tif 000031
【図３１】
0006502280.tif 000032
【図３２】
0006502280.tif 000033
【図３３】
0006502280.tif 000034
【図３４】
0006502280.tif 000035
【図３５】
0006502280.tif 000036
【図３６】
0006502280.tif 000037
【図３７】
0006502280.tif 000038
【図３８】
0006502280.tif 000039
【図３９】
0006502280.tif 000040